(57)【要約】  本願は、伝送制御方法であって、第１ユーザプレーン機能ネットワーク要素を第２ユーザプレーン機能ネットワーク要素に再割り当てする処理において、セッション管理機能ネットワーク要素が、それぞれのセッション変更要求を、複数のアンカーユーザプレーン機能ネットワーク要素のうちの各アンカーユーザプレーン機能ネットワーク要素に送信し、各セッション変更要求は、前記第２ユーザプレーン機能ネットワーク要素に関する情報を含み、前記複数のアンカーユーザプレーン機能ネットワーク要素のうちの第１アンカーユーザプレーン機能ネットワーク要素にのみ、エンドマーカを送信するよう指示し、又は前記第１アンカーユーザプレーン機能ネットワーク要素にのみ、前記エンドマーカを送信することを含む方法を提供する。本ソリューションの使用は、ユーザプレーン機能ネットワーク要素を再割り当てするシナリオにおいて、ダウンリンクデータパケットのパケット損失問題を解決でき、ユーザ経験を向上する。
2021500805.tif 000002
【特許請求の範囲】
【請求項１】
伝送制御方法であって、
第１ユーザプレーン機能ネットワーク要素を第２ユーザプレーン機能ネットワーク要素に再割り当てする処理において、セッション管理機能ネットワーク要素により、複数のセッション改正要求のうちのそれぞれのセッション変更要求を、複数のアンカーユーザプレーン機能ネットワーク要素のうちの各アンカーユーザプレーン機能ネットワーク要素に送信するステップであって、前記複数のセッション改正要求のうちの各セッション変更要求は、前記第２ユーザプレーン機能ネットワーク要素に関する情報を含む、ステップと、
前記セッション管理機能ネットワーク要素により、前記複数のアンカーユーザプレーン機能ネットワーク要素のうちの第１アンカーユーザプレーン機能ネットワーク要素にのみ、エンドマーカを送信するよう指示するステップ、又は、前記セッション管理機能ネットワーク要素により、前記第１アンカーユーザプレーン機能ネットワーク要素にのみ、前記エンドマーカを送信するステップと、
を含む方法。
【請求項２】
セッション管理機能ネットワーク要素により、複数のセッション変更要求のうちのそれぞれのセッション変更要求を、複数のアンカーユーザプレーン機能ネットワーク要素のうちの各アンカーユーザプレーン機能ネットワーク要素に送信する前記ステップは、
前記セッション管理機能ネットワーク要素により、それぞれの第１セッション変更要求を、前記複数のアンカーユーザプレーン機能ネットワーク要素のうちの前記第１アンカーユーザプレーン機能ネットワーク要素以外の各アンカーユーザプレーン機能ネットワーク要素に送信するステップと、
前記それぞれの第１セッション変更要求を送信した後に、第２セッション変更要求を、前記第１アンカーユーザプレーン機能ネットワーク要素に送信するステップと、
を含む、請求項１に記載の方法。
【請求項３】
前記セッション管理機能ネットワーク要素により、前記複数のアンカーユーザプレーン機能ネットワーク要素のうちの第１アンカーユーザプレーン機能ネットワーク要素にのみ、エンドマーカを送信するよう指示する前記ステップ、又は、前記セッション管理機能ネットワーク要素により、前記第１アンカーユーザプレーン機能ネットワーク要素にのみ、前記エンドマーカを送信するステップは、
前記セッション管理機能ネットワーク要素が前記それぞれのセッション変更要求を、前記複数のアンカーユーザプレーン機能ネットワーク要素のうちの前記第１アンカーユーザプレーン機能ネットワーク要素以外の各アンカーユーザプレーン機能ネットワーク要素に送信した後に、前記セッション管理機能ネットワーク要素により、前記第１アンカーユーザプレーン機能ネットワーク要素に、前記エンドマーカを送信するよう指示するステップ、又は、前記エンドマーカを前記第１アンカーユーザプレーン機能ネットワーク要素に送信するステップ、を含む、請求項１又は２に記載の方法。
【請求項４】
前記セッション管理機能ネットワーク要素により、前記複数のアンカーユーザプレーン機能ネットワーク要素のうちの第１アンカーユーザプレーン機能ネットワーク要素にのみ、エンドマーカを送信するよう指示する前記ステップ、又は、前記セッション管理機能ネットワーク要素により、前記第１アンカーユーザプレーン機能ネットワーク要素にのみ、前記エンドマーカを送信するステップは、
前記セッション管理機能ネットワーク要素により、前記第１アンカーユーザプレーン機能ネットワーク要素に送信される前記セッション変更要求を用いて、前記第１アンカーユーザプレーン機能ネットワーク要素に前記エンドマーカを送信するよう指示するステップであって、
又は、前記セッション変更要求が前記エンドマーカを含む、ステップ、又は、
前記セッション管理機能ネットワーク要素により、前記第１アンカーユーザプレーン機能ネットワーク要素に送信される第１メッセージを用いて、前記第１アンカーユーザプレーン機能ネットワーク要素に前記エンドマーカを送信するよう指示するステップであって、又は、前記第１メッセージが前記エンドマーカを含む、ステップ、
を含む、請求項１乃至３のいずれか一項に記載の方法。
【請求項５】
前記セッション管理機能ネットワーク要素により、前記第１アンカーユーザプレーン機能ネットワーク要素を決定するステップ、
を更に含む請求項１乃至４のいずれか一項に記載の方法。
【請求項６】
前記第１アンカーユーザプレーン機能ネットワーク要素は、リモートユーザプレーン機能ネットワーク要素又はホームユーザプレーン機能ネットワーク要素を含む、請求項１乃至５のいずれか一項に記載の方法。
【請求項７】
伝送制御方法であって、
第１ユーザプレーン機能ネットワーク要素により、複数のパスでデータパケットを送受信するステップと、
前記第１アンカーユーザプレーン機能ネットワーク要素が第１エンドマーカを第１パスで受信した後に、前記第１アンカーユーザプレーン機能ネットワーク要素により、前記第１エンドマーカをアクセスネットワーク装置に送信するステップであって、前記第１パスは、前記複数のパスのうちエンドマーカを最後に送信するパスである、ステップと、
を含む方法。
【請求項８】
前記第１ユーザプレーン機能ネットワーク要素により、第２エンドマーカを、前記複数のパスのうちの第２パスで受信し、前記第２エンドマーカを破棄するステップ、
を更に含む請求項７に記載の方法。
【請求項９】
前記第１ユーザプレーン機能ネットワーク要素により、第１指示情報をセッション管理機能ネットワーク要素から受信するステップであって、前記第１指示情報は前記第１ユーザプレーン機能ネットワーク要素に、前記第１エンドマーカを前記第１パスで受信した後に、前記第１エンドマーカを前記アクセスネットワーク装置に送信するよう指示する、ステップ、
を更に含む請求項７又は８に記載の方法。
【請求項１０】
前記第１ユーザプレーン機能ネットワーク要素により、第１指示情報をセッション管理機能ネットワーク要素から受信する前記ステップは、
前記第１ユーザプレーン機能ネットワーク要素を挿入する処理において、又は前記第１ユーザプレーン機能ネットワーク要素を再割り当てする処理において、前記第１ユーザプレーン機能ネットワーク要素により、前記第１指示情報を前記セッション管理機能ネットワーク要素から受信するステップを含む、請求項９に記載の方法。
【請求項１１】
前記第１指示情報は数情報を含み、前記数情報は、前記複数のパスのうち前記エンドマーカを送信するパスの数を示す、請求項９又は１０に記載の方法。
【請求項１２】
前記第１ユーザプレーン機能ネットワーク要素により、前記第１指示情報に基づき前記第１パスを決定するステップ、
を更に含む請求項９乃至１１のいずれか一項に記載の方法。
【請求項１３】
前記第１ユーザプレーン機能ネットワーク要素により、前記第１指示情報に基づき前記第１パスを決定する前記ステップは、
前記第１ユーザプレーン機能ネットワーク要素がそれぞれのエンドマーカを受信するパスの数が、前記複数のパスのうちの前記エンドマーカを送信する前記パスの前記数に等しいとき、前記エンドマーカを最後に送信する前記パスを前記第１パスとして決定するステップを含む、請求項１２に記載の方法。
【請求項１４】
前記複数のパスで送受信される前記データパケットは第１セッションのデータパケットであり、前記方法は、
前記第１ユーザプレーン機能ネットワーク要素により、第２指示情報を前記セッション管理機能ネットワーク要素から受信するステップと、
前記第１ユーザプレーン機能ネットワーク要素により、前記第２指示情報に基づき、前記第１セッションのダウンリンクデータパケットを検出するステップと、
前記第１ユーザプレーン機能ネットワーク要素により、検出結果に基づき、前記ダウンリンクデータパケットを前記エンドマーカとして決定するステップと、
を更に含む請求項７乃至１３のいずれか一項に記載の方法。
【請求項１５】
前記第１ユーザプレーン機能ネットワーク要素により、第２指示情報を前記セッション管理機能ネットワーク要素から受信する前記ステップは、
前記第１ユーザプレーン機能ネットワーク要素を挿入する処理において、又は前記第１ユーザプレーン機能ネットワーク要素を再割り当てする処理において、前記第１ユーザプレーン機能ネットワーク要素により、前記第２指示情報を前記セッション管理機能ネットワーク要素から受信するステップを含む、請求項１４に記載の方法。
【請求項１６】
伝送制御方法であって、
セッション管理機能ネットワーク要素により、第１ユーザプレーン機能ネットワーク要素が第１セッションのデータパケットを複数のパスで送受信することを決定するステップと、
前記セッション管理機能ネットワーク要素により、第１指示情報を前記第１ユーザプレーン機能ネットワーク要素に送信するステップであって、前記第１指示情報は、第１パスの決定のために使用され、前記第１ユーザプレーン機能ネットワーク要素に、第１エンドマーカを前記第１パスで受信した後に、前記第１エンドマーカをアクセスネットワーク装置に送信するよう指示し、前記第１パスは、前記複数のパスのうちエンドマーカを最後に送信するパスである、ステップと、
を含む方法。
【請求項１７】
前記第１指示情報は数情報を含み、前記数情報は、前記複数のパスのうち前記エンドマーカを送信するパスの数を示す、請求項１６に記載の方法。
【請求項１８】
伝送制御機器であって、
第１ユーザプレーン機能ネットワーク要素を第２ユーザプレーン機能ネットワーク要素に再割り当てする処理において、複数のセッション改正要求のうちのそれぞれのセッション変更要求を、複数のアンカーユーザプレーン機能ネットワーク要素のうちの各アンカーユーザプレーン機能ネットワーク要素に送信するよう構成される送信モジュールであって、前記複数のセッション改正要求のうちの各セッション変更要求は、前記第２ユーザプレーン機能ネットワーク要素に関する情報を含む、送信モジュールと、
前記送信モジュールを用いて、前記複数のアンカーユーザプレーン機能ネットワーク要素のうちの第１アンカーユーザプレーン機能ネットワーク要素にのみ、エンドマーカを送信するよう指示するよう構成される、又は、前記送信モジュールを用いて、前記第１アンカーユーザプレーン機能ネットワーク要素にのみ、前記エンドマーカを送信するよう構成される、処理モジュールと、
を含む機器。
【請求項１９】
前記送信モジュールは、先ず、それぞれの第１セッション変更要求を、前記複数のアンカーユーザプレーン機能ネットワーク要素のうちの前記第１アンカーユーザプレーン機能ネットワーク要素以外の各アンカーユーザプレーン機能ネットワーク要素に送信し、次に、第２セッション変更要求を、前記第１アンカーユーザプレーン機能ネットワーク要素に送信するよう構成される、請求項１８に記載の機器。
【請求項２０】
前記送信モジュールが、前記それぞれのセッション変更要求を、前記複数のアンカーユーザプレーン機能ネットワーク要素のうちの前記第１アンカーユーザプレーン機能ネットワーク要素以外の各アンカーユーザプレーン機能ネットワーク要素に送信した後に、前記処理モジュールは、前記送信モジュールを用いて、前記第１アンカーユーザプレーン機能ネットワーク要素に前記エンドマーカを送信するよう指示するよう、又は、前記エンドマーカを前記第１アンカーユーザプレーン機能ネットワーク要素に送信するよう、構成される、請求項１８又は１９に記載の機器。
【請求項２１】
前記処理モジュールは、前記第１アンカーユーザプレーン機能ネットワーク要素に送信される前記セッション変更要求を用いて、前記第１アンカーユーザプレーン機能ネットワーク要素に前記エンドマーカを送信するよう指示するよう構成され、又は前記セッション変更要求が前記エンドマーカを含む、又は、
前記処理モジュールは、前記第１アンカーユーザプレーン機能ネットワーク要素に送信される第１メッセージを用いて、前記第１アンカーユーザプレーン機能ネットワーク要素に前記エンドマーカを送信するよう指示するよう構成され、又は前記第１メッセージが前記エンドマーカを含む、
請求項１８乃至２０のいずれか一項に記載の機器。
【請求項２２】
前記処理モジュールは、前記第１アンカーユーザプレーン機能ネットワーク要素を決定するよう更に構成される、
請求項１８乃至２１のいずれか一項に記載の機器。
【請求項２３】
伝送制御機器であって、受信モジュールと送信モジュールとを含み、
前記受信モジュールは、アップリンクデータパケットを複数のパスで受信するよう構成され、又は、前記送信モジュールは、ダウンリンクデータパケットを複数のパスで送信するよう構成され、
前記送信モジュールは、前記受信モジュールが第１エンドマーカを第１パスで受信した後に、前記第１エンドマーカをアクセスネットワーク装置に送信するよう構成され、前記第１パスは前記複数のパスのうちエンドマーカを最後に送信するパスである、機器。
【請求項２４】
前記受信モジュールが、第２エンドマーカを、前記複数のパスのうちの第２パスで受信した後に、前記第２エンドマーカを破棄するよう構成される処理モジュール、
を更に含む請求項２３に記載の機器。
【請求項２５】
前記受信モジュールは、第１指示情報をセッション管理機能ネットワーク要素から受信するよう更に構成され、前記第１指示情報は、前記第１ユーザプレーン機能ネットワーク要素に、前記第１エンドマーカを前記第１パスで受信した後に、前記第１エンドマーカを前記アクセスネットワーク装置に送信するよう指示する、請求項２３又は２４に記載の機器。
【請求項２６】
前記第１指示情報は数情報を含み、前記数情報は、前記複数のパスのうち前記エンドマーカを送信するパスの数を示す、請求項２５に記載の機器。
【請求項２７】
前記第１指示情報に基づき、前記第１パスを決定するよう構成される前記処理モジュール、
を更に含む請求項２５又は２６に記載の機器。
【請求項２８】
前記受信モジュールが、前記複数のパスのうちの前記エンドマーカを送信する前記パスの前記数に等しい数の前記エンドマーカを受信すると、前記処理モジュールは、前記エンドマーカを最後に送信する前記パスを前記第１パスとして決定するよう構成される、請求項２７に記載の機器。
【請求項２９】
前記処理モジュールを更に含み、
前記受信モジュールは、第２指示情報を前記セッション管理機能ネットワーク要素から受信するよう更に構成され、
前記処理モジュールは、前記第２指示情報に基づき第１セッションのダウンリンクデータパケットを検出し、検出結果に基づき前記ダウンリンクデータパケットを前記エンドマーカとして決定するよう構成される、
請求項２３乃至２８のいずれか一項に記載の機器。
【請求項３０】
伝送制御機器であって、
第１ユーザプレーン機能ネットワーク要素が第１セッションのデータパケットを複数のパスで送受信することを決定するよう構成される処理モジュールと、
第１指示情報を前記第１ユーザプレーン機能ネットワーク要素に送信するよう構成される送信モジュールであって、前記第１指示情報は、第１パスの決定のために使用され、前記第１ユーザプレーン機能ネットワーク要素に、第１エンドマーカを前記第１パスで受信した後に、前記第１エンドマーカをアクセスネットワーク装置に送信するよう指示し、前記第１パスは、前記複数のパスのうちエンドマーカを最後に送信するパスである、送信モジュールと、
を含む機器。
【発明の詳細な説明】
【技術分野】
【０００１】
本発明は、通信技術の分野に関し、特に、伝送制御方法、機器、及びシステムに関する。
【背景技術】
【０００２】
第５世代（the  ５th−Generation,  ５G）通信ネットワークでは、ユーザ機器（user  equipment,  UE）が移動した後に、データ伝送パスが切り替えられることがある。例えば、図１Ａに示すように、ＵＥが移動する前、ダウンリンクデータの伝送パスは、アンカーユーザプレーン機能（user  plane  function,  UPF）→ソース中間ＵＰＦ（intermediate  UPF,  I−UPF）→ソース無線アクセスネットワーク（radio  access  network,  RAN）である。ＵＥが移動した後、ハンドオーバ処理において、ダウンリンクデータパケットの伝送パス（簡単に旧パス）は、アンカーＵＰＦ→ソースＩ−ＵＰＦ→ソースＲＡＮ→ターゲットＲＡＮ（図中に破線により示される）である。ハンドオーバが完了した後、ダウンリンクデータパケットの伝送パス（簡単に新パス）は、アンカーＵＰＦ→ターゲットＩ−ＵＰＦ→ターゲットＲＡＮ（図中に実線により示される）である。したがって、ダウンリンクデータパケットは、新パス及び旧パスで別個にターゲットＲＡＮに到達する。
【０００３】
ダウンリンクデータパケットの順序が狂わないことを保証するために、ターゲットＲＡＮは、先ず、ダウンリンクデータパケットを旧パスでＵＥに送信し、次に、ダウンリンクデータパケットを新パスでＵに送信する必要がある。パケットデータユニット（packet  data  unit,  PDU）セッションメカニズム毎のエンドマーカ（end  marker  per  PDU  session,  略称：end  marker）が従来使用されている。このメカニズムでは、アンカーＵＰＦは、パスが更新されると、エンドマーカを旧パスで送信する必要があり、エンドマーカは、これが旧パスでの最後のダウンリンクデータパケットであり、後続のダウンリンクデータパケットが新パスで伝送されることを示す。
【０００４】
図１Ｂに示すように、複数の伝送パスのシナリオでは、UEは複数のセッションブランチを有する。ＵＥが移動する前、確立されたセッションは、ソースＩ−ＵＰＦを用いてオフロードされてよい。例えば、ソースＩ−ＵＰＦは、２つのセッションブランチを有する。ブランチ１はアンカーＵＰＦ１に対応し、ブランチ２はアンカーＵＰＦ２に対応する。Ｉ−ＵＰＦの再割り当てが生じるとき、２つのケースがあり得る。ケース１。両方のブランチがターゲット側に切り替えられる。ケース２。１次ブランチ（例えばブランチ１）のみがターゲット側に切り替えられ、一方、２次ブランチ（例えばブランチ２）は切り替えられない。
【０００５】
前述のケースのいずれでも、例えば、ブランチ１は切り替えられ、全部のデータパケットがブランチ１で送信された後に、アンカーＵＰＦ１がエンドマーカをターゲットＲＡＮへソースＲＡＮを介して送信する。エンドマーカを受信した後に、ターゲットＲＡＮは、旧パスでのダウンリンクデータパケットの伝送が終了したと見なし、ダウンリンクデータパケットを新パスでＵＥへ送信し始める。しかしながら、ブランチ２でのダウンリンクデータパケットの伝送は、完了しないことがある。これらのデータパケットは、エンドマーカが受信された後に受信されるので、ターゲットＲＡＮはこれらのデータパケットを直接破棄する。これは、データパケット損失を生じ、ユーザ経験を低下させる。
【発明の概要】
【０００６】
本発明の実施形態は、伝送制御方法、機器、及びシステムを提供する。
【０００７】
第１の態様によると、本願の一実施形態は、伝送制御方法であって、前記方法は、
第１ユーザプレーン機能ネットワーク要素を第２ユーザプレーン機能ネットワーク要素に再割り当てする処理において、セッション管理機能ネットワーク要素により、複数のセッション改正要求のうちのそれぞれのセッション変更要求を、複数のアンカーユーザプレーン機能ネットワーク要素のうちの各アンカーユーザプレーン機能ネットワーク要素に送信するステップであって、各セッション変更要求は、前記第２ユーザプレーン機能ネットワーク要素に関する情報を含む、ステップと、
前記セッション管理機能ネットワーク要素により、前記複数のアンカーユーザプレーン機能ネットワーク要素のうちの第１アンカーユーザプレーン機能ネットワーク要素にのみ、エンドマーカを送信するよう指示する、又は前記第１アンカーユーザプレーン機能ネットワーク要素にのみ、前記エンドマーカを送信するステップと、を含む方法を提供する。
【０００８】
可能な設計では、セッション管理機能ネットワーク要素により、複数のセッション改正要求のうちのそれぞれのセッション変更要求を、複数のアンカーユーザプレーン機能ネットワーク要素のうちの各アンカーユーザプレーン機能ネットワーク要素に送信する前記ステップは、
先ず、前記セッション管理機能ネットワーク要素により、第１セッション変更要求を、前記複数のアンカーユーザプレーン機能ネットワーク要素のうちの前記第１アンカーユーザプレーン機能ネットワーク要素以外の別のアンカーユーザプレーン機能ネットワーク要素に送信するステップと、
次に、第２セッション変更要求を、前記第１アンカーユーザプレーン機能ネットワーク要素に送信するステップと、
を含む。したがって、セッション管理機能ネットワーク要素は、パスを最後に更新したアンカーユーザプレーン機能ネットワーク要素にのみ、エンドマーカを送信するよう指示する。このように、パスを最後に更新するアンカーユーザプレーン機能ネットワーク要素により送信されるエンドマーカは、旧パスでのパケット伝送が完了したことを示すために使用される。したがって、前述の方法は、旧パスでのデータパケット損失を回避し、ユーザ経験を向上し得る。
【０００９】
可能な設計では、前記セッション管理機能ネットワーク要素により、第１アンカーユーザプレーン機能ネットワーク要素にのみ、エンドマーカを送信するよう指示する前記ステップ、又は、前記第１アンカーユーザプレーン機能ネットワーク要素にのみ、前記エンドマーカを送信するステップは、
前記セッション管理機能ネットワーク要素が前記それぞれのセッション変更要求を、前記複数のアンカーユーザプレーン機能ネットワーク要素のうちの前記第１アンカーユーザプレーン機能ネットワーク要素以外の各々の別のアンカーユーザプレーン機能ネットワーク要素に送信した後に、前記セッション管理機能ネットワーク要素により、前記第１アンカーユーザプレーン機能ネットワーク要素に、前記エンドマーカを送信するよう指示するステップ、又は、前記エンドマーカを前記第１アンカーユーザプレーン機能ネットワーク要素に送信するステップ、を含む。例えば、前記セッション管理機能ネットワーク要素は、前記第１アンカーユーザプレーン機能ネットワーク要素に送信される前記セッション変更要求を用いて、前記第１アンカーユーザプレーン機能ネットワーク要素に前記エンドマーカを送信するよう指示する、又は、前記セッション変更要求が前記エンドマーカを含む、又は、
前記セッション管理機能ネットワーク要素は、前記第１アンカーユーザプレーン機能ネットワーク要素に送信される第１メッセージを用いて、前記第１アンカーユーザプレーン機能ネットワーク要素に前記エンドマーカを送信するよう指示する、又は前記第１メッセージが前記エンドマーカを含む。
【００１０】
可能な設計では、前記方法は、前記セッション管理機能ネットワーク要素により、前記第１アンカーユーザプレーン機能ネットワーク要素を決定するステップを更に含む。例えば、前記第１アンカーユーザプレーン機能ネットワーク要素は、リモートユーザプレーン機能ネットワーク要素又はホームユーザプレーン機能ネットワーク要素を含む。具体的にいうと、前述の効果を達成するために、前記セッション管理機能ネットワーク要素は、前記リモートユーザプレーン機能ネットワーク要素又は前記ホームユーザプレーン機能ネットワーク要素を、前記パスを最後に更新したアンカーユーザプレーン機能ネットワーク要素として決定してよい。
【００１１】
第２の態様によると、本願の一実施形態は、伝送制御方法であって、第１ユーザプレーン機能ネットワーク要素により、複数のパスでデータパケットを送受信するステップと、
第１エンドマーカを第１パスで受信した後に、前記第１ユーザプレーン機能ネットワーク要素により、前記第１エンドマーカをアクセスネットワーク装置に送信するステップと、を含む方法を提供する。前記第１パスは、前記複数のパスのうちの前記エンドマーカを最後に送信するパスである。
【００１２】
前述の方法によると、第１ユーザプレーン機能ネットワーク要素は、最後に送信されたエンドマーカを受信した後に、エンドマーカをアクセスネットワーク装置に送信する。このように、パスを最後に更新するアンカーユーザプレーン機能ネットワーク要素により送信されるエンドマーカは、旧パスでのパケット伝送が完了したことを示すために使用される。したがって、前述の方法の使用は、旧パスでのデータパケット損失を回避し、ユーザ経験を向上し得る。
【００１３】
可能な設計では、前記方法は、前記第１ユーザプレーン機能ネットワーク要素により、第２エンドマーカを、前記複数のパスのうちの第２パスで受信し、前記第２エンドマーカを破棄するステップ、
を更に含む。前記第２パスは、前記複数のパスのうちの前記エンドマーカを最後に送信しない任意のパスである。このように、第１ユーザプレーン機能ネットワーク要素の記憶リソースが節約され得る。
【００１４】
可能な設計では、前記方法は、前記第１ユーザプレーン機能ネットワーク要素により、第１指示情報をセッション管理機能ネットワーク要素から受信するステップであって、前記第１指示情報は前記第１ユーザプレーン機能ネットワーク要素に、前記第１エンドマーカを前記第１パスで受信した後に、前記第１エンドマーカを前記アクセスネットワーク装置に送信するよう指示する、ステップ、を更に含む。例えば、前記第１ユーザプレーン機能ネットワーク要素を挿入する処理において、又は前記第１ユーザプレーン機能ネットワーク要素を再割り当てする処理において、前記第１ユーザプレーン機能ネットワーク要素は、前記第１指示情報を前記セッション管理機能ネットワーク要素から受信する。
【００１５】
可能な設計では、前記第１指示情報は数情報を含み、前記数情報は、前記複数のパスのうち前記エンドマーカを送信するパスの数を示す。
【００１６】
可能な設計では、前記方法は、前記第１ユーザプレーン機能ネットワーク要素により、前記第１指示情報に基づき前記第１パスを決定するステップ、
を更に含む。例えば、前記複数のパスのうちの前記エンドマーカを送信する前記パスの前記数に等しい数の前記エンドマーカを受信すると、前記第１ユーザプレーン機能ネットワーク要素は、前記エンドマーカを最後に送信する前記パスを前記第１パスとして決定する。
【００１７】
可能な設計では、前記複数のパスで送受信される前記データパケットは、第１セッションのデータパケットである。前記方法は、前記第１ユーザプレーン機能ネットワーク要素により、第２指示情報を前記セッション管理機能ネットワーク要素から受信するステップと、
前記第２指示情報に基づき前記第１セッションのダウンリンクデータパケットを検出するステップと、
検出結果に基づき、前記ダウンリンクデータパケットを前記エンドマーカとして決定するステップと、を更に含む。例えば、前記第１ユーザプレーン機能ネットワーク要素を挿入する処理において、又は前記第１ユーザプレーン機能ネットワーク要素を再割り当てする処理において、前記第１ユーザプレーン機能ネットワーク要素は、前記第２指示情報を前記セッション管理機能ネットワーク要素から受信する。
【００１８】
第３の態様によると、本願の一実施形態は、伝送制御方法であって、前記方法は、
セッション管理機能ネットワーク要素により、第１ユーザプレーン機能ネットワーク要素が第１セッションのデータパケットを複数のパスで送受信することを決定するステップと、
前記セッション管理機能ネットワーク要素により、第１指示情報を前記第１ユーザプレーン機能ネットワーク要素に送信するステップと、を含む方法を提供する。前記第１指示情報は、第１パスの決定のために使用され、前記第１ユーザプレーン機能ネットワーク要素に、第１エンドマーカを前記第１パスで受信した後に、前記第１エンドマーカをアクセスネットワーク装置に送信するよう指示する。前記第１パスは、前記複数のパスのうちの前記エンドマーカを最後に送信するパスである。
【００１９】
前述の方法によると、前記セッション管理機能ネットワーク要素は、前記第１指示情報を前記第１ユーザプレーン機能ネットワーク要素に送信する。前記１ユーザプレーン機能ネットワーク要素は、最後に送信されたエンドマーカを受信した後に、前記第１指示情報に基づき、前記エンドマーカを前記アクセスネットワーク装置に送信する。このように、パスを最後に更新するアンカーユーザプレーン機能ネットワーク要素により送信されるエンドマーカは、旧パスでのパケット伝送が完了したことを示すために使用される。したがって、前述の方法の使用は、旧パスでのデータパケット損失を回避し、ユーザ経験を向上し得る。
【００２０】
可能な設計では、前記第１指示情報は数情報を含み、前記数情報は、前記複数のパスのうち前記エンドマーカを送信するパスの数を示す。
【００２１】
可能な設計では、前記セッション管理機能ネットワーク要素により、第１指示情報を前記第１ユーザプレーン機能ネットワーク要素に送信する前記ステップは、
前記第１ユーザプレーン機能ネットワーク要素を挿入する処理において、又は前記第１ユーザプレーン機能ネットワーク要素を再割り当てする処理において、前記セッション管理機能ネットワーク要素により、前記第１指示情報を前記第１ユーザプレーン機能ネットワーク要素に送信するステップを含む。
【００２２】
可能な設計では、前記方法は、前記セッション管理機能ネットワーク要素により、第２指示情報を前記第１ユーザプレーン機能ネットワーク要素に送信するステップであって、前記第２指示情報は、前記第１ユーザプレーン機能ネットワーク要素における前記第１セッションのダウンリンクデータパケットの検出のために使用される。例えば、前記第１ユーザプレーン機能ネットワーク要素を挿入する処理において、又は前記第１ユーザプレーン機能ネットワーク要素を再割り当てする処理において、前記セッション管理機能ネットワーク要素は、前記第２指示情報を前記第１ユーザプレーン機能ネットワーク要素に送信する。
【００２３】
可能な設計では、前記方法は、前記セッション管理機能ネットワーク要素により、前記第１セッションの前記複数のパスのうちの第３パスが切り替えられないことを決定するステップと、
前記セッション管理機能ネットワーク要素により、エンドマーカ又は第３指示情報を、前記第３パスに対応するアンカーユーザプレーン機能ネットワーク要素に送信するステップであって、前記第３指示情報は、前記アンカーユーザプレーン機能ネットワーク要素に、エンドマーカを前記第３パスで送信するよう指示する、ステップと、を更に含む。言い換えると、前記エンドマーカは、前記パスが切り替えられるか否かにかかわらず、前記パスで送信される必要がある。
【００２４】
第４の態様によると、本願の一実施形態は、伝送制御機器を提供する。前記機器は、セッション管理機能ネットワーク要素であってよく、又はチップであってよい。前記機器は、第１の態様、第３の態様、又は第１の態様及び第３の態様の種々の可能な設計におけるセッション管理機能ネットワーク要素の動作を実装する機能を有する。該機能は、ハードウェアにより実装されてよく、又は対応するソフトウェアを実行することによりハードウェアにより実装されてよい。ハードウェア又はソフトウェアは、機能に対応する１つ以上のモジュールを含む。可能な設計では、機器の構造は、プロセッサ及びトランシーバを含み、プロセッサは、第１の態様、第３の態様、又は第１の態様及び第３の態様の種々可能な設計における対応する機能を実行するよう構成される。トランシーバは、機器と第１ユーザプレーン機能ネットワーク要素又は各アンカーユーザプレーン機能ネットワーク要素との間の通信を実施するよう構成される。機器は、メモリを更に含んでよい。メモリは、プロセッサに結合され、機器により必要とされるプログラム命令及びデータを格納するよう構成される。
【００２５】
第５の態様によると、本願の一実施形態は、伝送制御機器を提供する。前記機器は、ユーザプレーン機能ネットワーク要素であってよく、又はチップであってよい。前記機器は、第２の態様又は第２の態様の種々の可能な設計における第１ユーザプレーン機能ネットワーク要素の動作を実装する機能を有する。該機能は、ハードウェアにより実装されてよく、又は対応するソフトウェアを実行することによりハードウェアにより実装されてよい。ハードウェア又はソフトウェアは、機能に対応する１つ以上のモジュールを含む。可能な設計では、機器の構造は、プロセッサ及びトランシーバを含み、プロセッサは、第２の態様又は第２の態様の種々可能な設計における対応する機能を実行するよう構成される。トランシーバは、機器と、セッション管理機能ネットワーク要素、各アンカーユーザプレーン機能ネットワーク要素、又はアクセスネットワーク装置との間の通信を実施するよう構成される。機器は、メモリを更に含んでよい。メモリは、プロセッサに結合され、機器により必要とされるプログラム命令及びデータを格納するよう構成される。
【００２６】
第６の態様によると、本願の一実施形態は、伝送制御システムであって、前記システムは、第１の態様または第１の態様の種々の可能な設計を実行するよう構成されるセッション管理機能ネットワーク要素と、
データパケットを伝送するよう構成される各アンカーユーザプレーン機能ネットワーク要素と、を含むシステムを提供する。代替として、前記システムは、第２の態様または第２の態様の種々の可能な設計を実行するよう構成される第１ユーザプレーン機能ネットワーク要素と、第３の態様又は第３の態様の種々の可能な設計における方法を実行するよう構成されるセッション管理機能ネットワーク要素と、を含む。
【００２７】
第７の態様によると、本願の一実施形態は、命令を格納するコンピュータ可読記憶媒体を更に提供する。前記命令がコンピュータで実行すると、前記コンピュータは、前述の態様における方法を実行可能にされる。
【００２８】
第８の態様によると、本願の一実施形態は、命令を含むコンピュータプログラムプロダクトを提供する。前記命令がコンピュータで実行すると、前記コンピュータは、前述の態様における方法を実行可能にされる。
【００２９】
本ソリューションの使用は、ユーザプレーン機能ネットワーク要素を再割り当てするシナリオにおいて、ダウンリンクデータパケットのパケット損失問題を解決でき、ユーザ経験を向上する。
【図面の簡単な説明】
【００３０】
本発明の実施形態における又は背景における技術的ソリューションを更に明確に説明するために、以下は、本発明の実施形態又は背景を説明するために必要な添付の図面を簡単に説明する。
【図１Ａ】ユーザプレーン機能ネットワーク要素の再割り当ての概略図である
【図１Ｂ】単一セッション及び複数セッションアンカーシナリオにおけるユーザプレーン機能ネットワーク要素の再割り当ての概略図である。
【図２Ａ】５Ｇ通信システムの概略図である。
【図２Ｂ】サービスフレームワークにおける５Ｇ通信システムの別の概略図である。
【図３Ａ】アップリンク分類器（uplink  classifier,  ULCL）の概略図である。
【図３Ｂ】インターネットプロトコルバージョン６（Internet  Protocol  version６,  IPv６）マルチホーミング（IPv６  multi−homing）セッションの概略図である。
【図４Ａ】本願の一実施形態による伝送制御方法のシグナリング相互作用図である。
【図４Ｂ】本願の一実施形態による伝送制御方法のシグナリング相互作用図である。
【図５】本願の一実施形態による伝送制御方法のフローチャートである。
【図６Ａ】本願の別の実施形態による伝送制御方法のシグナリング相互作用図である。
【図６Ｂ】本願の別の実施形態による伝送制御方法のシグナリング相互作用図である。
【図７Ａ】本願の別の実施形態による伝送制御方法のフローチャートである。
【図７Ｂ】本願の別の実施形態による伝送制御方法の別のフローチャートである。
【図８】本願の一実施形態による伝送制御機器の概略構造図である。
【図９】本願の一実施形態による伝送制御機器の概略図である。
【図１０】本願の一実施形態による伝送制御機器の概略図である。
【発明を実施するための形態】
【００３１】
以下は、本願の実施形態における添付の図面を参照して、本発明の実施形態における技術的ソリューションを明確に説明する。
【００３２】
５Ｇモバイルネットワークアーキテクチャでは、コアネットワークは、制御プレーン（control  plane）及びユーザプレーン（user  plane）ネットワーク要素を含む。制御プレーンネットワーク要素は、伝統的な第３世代パートナーシッププロジェクト（third  generation  partnership  project,  ３GPP）制御ネットワーク要素モビリティ管理エンティティ（mobility  management  entity,  MME）、サービングゲートウェイ（serving  gateway,  SGW）及びパケットデータネットワークゲートウェイ（packet  data  network  gateway,  PGW）の制御プレーン機能、等を統合する統一制御プレーンである。ユーザプレーン機能ネットワーク要素は、ＳＧＷ及びＰＧＷのユーザプレーン機能（SGW−U及びPGW−U）を実装できる。さらに、統一制御プレーンネットワーク要素は、アクセス及びモビリティ管理機能（access  and  mobility  management  function,  AMF）ネットワーク要素及びセッション管理機能（session  management  function,  SMF）ネットワーク要素に分解されてよい。
【００３３】
図２Ａは、本願の一実施形態による５Ｇ通信システムの概略図である。図２Ａに示すように、通信システムは、少なくとも、ＵＥ２０１、アクセスネットワーク（access  network,  AN）装置２０２、ＡＭＦネットワーク要素２０３、ＳＭＦネットワーク要素２０４、及びユーザプレーン機能（user  plane  function,  UPF）ネットワーク要素２０５を含む。
【００３４】
本システムに含まれるＵＥ２０１は、５Ｇネットワークに限定されず、移動電話機、モノのインターネット装置、スマート家庭用装置、工業用制御装置、車両装置、等を含む。ユーザ機器は、端末（terminal）、端末装置（terminal  device）、移動局（Mobile  Station）、モバイルコンソール（Mobile）、リモート局（Remote  Station）、リモート端末（Remote  Terminal）、アクセス端末（Access  Terminal）、ユーザ端末（User  Terminal）、又はユーザエージェント（User  Agent）も表してよく、ここで限定されない。ユーザ機器は、車車間（Vehicle−to−vehicle,  V２V）通信における車両、機械型通信における機械、等であってもよい。
【００３５】
ＡＮ装置２０２は、ＵＥ２０１に無線通信機能を提供するよう構成される機器である。ＡＮ装置２０２は、無線アクセスネットワーク（radio  access  network,  RAN）装置であってよい。（Ｒ）ＡＮ装置は、マクロ基地局、マイクロ基地局（スモールセルとも呼ばれる）、中継局、又はアクセスポイントのような種々の基地局を含んでよい。異なる無線アクセス技術を使用するシステムでは、基地局の機能を有する装置の名称は異なってよい。例えば、第３世代（３rd  generation,  ３G）システムでは、基地局の機能を有する装置はＮｏｄｅＢ（NodeB）と呼ばれ、ロングタームエボリューション（long  term  evolution,  LTE）システムでは、基地局の機能を有する装置は進化型ＮｏｄｅＢ（evolved  NodeB,  eNB又はeNodeB）と呼ばれ、又は、第５世代システムでは、基地局の機能を有する装置はｇＮＢ（gNodeB）と呼ばれる。
【００３６】
ＡＭＦネットワーク要素２０３は、ＵＥ２０１の登録、モビリティ管理、追跡エリア更新手順、等を担ってよい。
【００３７】
ＳＭＦネットワーク要素２０４は、ＵＥ２０１のセッション管理を担ってよい。例えば、セッション管理は、セッションの確立、変更、又は解放、ＵＰＦの選択又は再選択、インターネットプロトコル（internet  protocol,  IP）アドレスの割り当て、等を含む。
【００３８】
ＵＰＦネットワーク要素２０５は、データネットワーク（data  network,  DN）２０６に接続されてよく、サービスデータパケットの伝送を実施するよう構成されてよい。
【００３９】
前述のネットワーク要素は、更に、装置又はエンティティと呼ばれてよい。例えば。ＡＭＦネットワーク要素は、ＡＭＦ装置又はＡＭＦエンティティとも呼ばれてよい。
【００４０】
前述のネットワーク要素は、専用ハードウェアにより実装されてよく、又は専用ハードウェア上のソフトウェアインスタンスにより実装されてよく、又は適切なプラットフォーム上でインスタンス化された仮想機能により実装されてよい。これは、本発明において限定されない。
【００４１】
例えば、図２Ｂは、サービスフレームワーク（service  framework）における５Ｇ通信システムの別の概略図である。同様に、通信システムは、少なくとも、ＵＥ２０１’、ＡＮ装置２０２’、ＡＭＦネットワーク要素２０３’、ＳＭＦネットワーク要素２０４’、及びＵＰＦネットワーク要素２０５’を含む。図２ＢのＵＥ２０１’、ＡＮ装置２０２’、ＡＭＦネットワーク要素２０３’、ＳＭＦネットワーク要素２０４’、及びＵＰＦネットワーク要素２０５’の機能は、それぞれ、図２ＡのＵＥ２０１、ＡＮ装置２０２、ＡＭＦネットワーク要素２０３、ＳＭＦネットワーク要素２０４、及びＵＰＦネットワーク要素２０５の機能と同じである。詳細はここで再び記載されない。
【００４２】
サービスフレームワークでは、サービスに基づくインタフェース（service−based  interface）が制御プレーンにおいて使用される。例えば、ＡＭＦネットワーク要素２０３’及びＳＭＦネットワーク要素２０４’は、それぞれ、サービスに基づくインタフェースＮａｍｆ及びＮｓｍｆを有する。機能ネットワーク要素は、ネットワーク機能（network  function,  NF）サービスを提供するために、サービスに基づくインタフェースを用いて、自身の能力を別の認可された機能ネットワーク要素に公開してよい。言い換えると、ＮＦサービスは、提供可能な種々の能力である。
【００４３】
更に、本願の本実施形態は、別の未来指向型通信技術に更に適用されてよい。本願に記載されるネットワークアーキテクチャ及びサービスシナリオは、本願における技術的ソリューションをより明確に説明することを意図しており、本願で提供される技術的ソリューションを限定することを意図しない。当業者は、ネットワークアーキテクチャが進化し新しいサービスシナリオが出現するとき、本願において提供される技術的ソリューションが同様の技術的問題にも適用されることを理解し得る。
【００４４】
本願は、単一セッション及び複数セッションアンカーシナリオにおける伝送制御ソリューションを提供することを目的とする。例えば、ローカルサービスフローのオフロードをサポートするために、ＳＭＦは、単一ＰＤＵセッションのデータパスを制御してよい。その結果、ＰＤＵセッションは、同時に複数のＮ６インタフェースに対応する。Ｎ６インタフェースは、ＵＰＦとＤＮとの間のインタフェースである。Ｎ６インタフェースを終端するＵＰＦは、アンカーＵＰＦと呼ばれることがある。したがって、各アンカーＵＰＦは、同じＤＮに接続される異なるアクセスパスを提供する。言い換えると、１つのＰＤＵセッションは、異なるアンカーＵＰＦに対応する複数のパス（これは、複数のブランチとも呼ばれてよい）を有する。
【００４５】
例えば、単一セッション及び複数セッションアンカーシナリオは、ＵＬＣＬシナリオ又はＩＰｖ６マルチホーミングセッションシナリオを含む。
【００４６】
図３Ａは、ＵＬＣＬシナリオの概略図である。例えば、インターネットプロトコルバージョン４（ＩＰｖ４）、ＩＰｖ６、又はイーサネット（Ethernet）型のＰＤＵセッションでは、ＳＭＦは、ＵＬＣＬ  ＵＰＦをＰＤＵセッションのデータパスに挿入することを決定してよい。ＵＬＣＬ  ＵＰＦは、アップリンクサービスフローを異なるブランチにある（図３ＡのアンカーＵＰＦ１及びアンカーＵＰＦ２のような）異なるアンカーＵＰＦにオフロードし、又は異なるブランチからのダウンリンクサービスフローを結合し、次に結合したダウンリンクサービスフローをＵＥに送信する。アンカーＵＰＦ１は、ローカルユーザプレーン機能ネットワーク要素（local  UPF）であり、アンカーＵＰＦ２は、リモートユーザプレーン機能ネットワーク要素（remote  UPF）である。ＵＥは、ＵＬＣＬのオフロードに気付かない。ＩＰｖ４又はＩＰｖ６型のＰＤＵセッションでは、ＵＥは、単一のＩＰｖ４アドレス又は単一のＩＰｖ６プレフィックスをＰＤＵセッションに関連付ける。
【００４７】
更に、複数のＵＬＣＬ  ＵＰＦがＰＤＵセッションのデータパスの中に存在してよい。１つのＵＰＦが、ＵＬＣＬ  ＵＰＦ及びアンカーＵＰＦの両方の機能を有してもよい。
【００４８】
図３Ｂは、ＩＰｖ６マルチホーミングセッションシナリオの概略図である。ＩＰｖ６マルチホーミングセッションでは、１つのＰＤＵセッションが、複数のＩＰｖ６プレフィックスに関連付けられてよい。同様に、（図中のアンカーＵＰＦ１及びアンカーＵＰＦ２のような）異なるアンカーＵＰＦは、同じＤＮに接続される異なるアクセスパス（つまりブランチ）を提供する。分岐点（branching  point,  BP）機能をサポートするＵＰＦ上で収束した後に、異なるブランチからのダウンリンクサービスフローは、ＵＥへ送信される。ＵＰＦは、ＢＰ  ＵＰＦと呼ばれてよい。ＢＰ  ＵＰＦは、更に、アップリンクサービスフローを異なるブランチ上の異なるアンカーＵＰＦに転送してよい。例えば、アンカーＵＰＦ１は、ローカルユーザプレーン機能ネットワーク要素であり、アンカーＵＰＦ２は、リモートユーザプレーン機能ネットワーク要素である。１つのＵＰＦが、ＢＰ  ＵＰＦ及びアンカーＵＰＦの両方の機能を有してよい。
【００４９】
具体的に言うと、単一セッション及び複数セッションアンカーシナリオで、Ｉ−ＵＰＦは、ＰＤＵセッションのデータパスの中に存在する。Ｉ−ＵＰＦは、図３ＡのＵＬＣＬ  ＵＰＦ、又は図３ＢのＢＰ  ＵＰＦであってよい。
【００５０】
ＵＥ２０１が移動すると、ＲＡＮハンドオーバがトリガされ、ＲＡＮハンドオーバは、Ｉ−ＵＰＦの再割り当て（re−allocation）を引き起こし得る。Ｉ−ＵＰＦの再割り当ては、リダイレクションとも呼ばれることがある。Ｉ−ＵＰＦが再割り当てされるとき、これは図１Ｂに示される。ＵＥが移動する前、確立されたＰＤＵセッションは、ソースＩ−ＵＰＦを用いてオフロードされてよい。例えば、ソースＩ−ＵＰＦは、２つのセッションブランチを有する。ブランチ１はアンカーＵＰＦ１に対応し、ブランチ２はアンカーＵＰＦ２に対応する。Ｉ−ＵＰＦの再割り当てが生じるとき、２つのケースがあり得る。ケース１。両方のブランチがターゲット側に切り替えられる。ケース２。１次ブランチ（例えばブランチ１）のみがターゲット側に切り替えられ、一方、２次ブランチ（例えばブランチ２）は切り替えられない。
【００５１】
前述のケースのいずれでも、ＰＤＵセッションの中の（ブランチ１のような）任意のブランチが切り替えられるとき、切り替えられるブランチ上の全部のデータパケットが送信された後に、切り替えられるブランチに対応するアンカーＵＰＦがエンドマーカをターゲットＲＡＮへソースＲＡＮを介して送信する。エンドマーカを受信した後に、ターゲットＲＡＮは、旧パスでのダウンリンクデータパケットの伝送が終了したと見なし、新パスで受信したダウンリンクデータパケットをＵＥへ送信し始める。しかしながら、ＰＤＵセッションの中の（ブランチ２のような）別のブランチでのダウンリンクデータパケットの伝送は、完了しないことがある。これらのデータパケットは、エンドマーカが受信された後に受信されるので、ターゲットＲＡＮはこれらのデータパケットを直接破棄する。これは、データパケット損失を生じ、ユーザ経験を低下させる。
【００５２】
前述の技術的問題を解決するために、本願は複数のソリューションを提供する。
【００５３】
図４Ａ及び図４Ｂ及び図５は、それぞれ、本願の一実施形態による第１伝送制御方法のシグナリング相互作用図及びフローチャートである。第１ソリューションにおける制御により、複数のアンカーユーザプレーン機能ネットワーク要素のうちの第１アンカーユーザプレーン機能ネットワーク要素のみが、エンドマーカを送信する。
【００５４】
図４Ａ及び図４Ｂは、ＵＥ、ソースＲＡＮ、ターゲットＲＡＮ、ＡＭＦ、ＳＭＦ、ソースＩ−ＵＰＦ、ターゲットＩ−ＵＰＦ、アンカーＵＰＦ１、及びアンカーＵＰＦ２の間の相互作用を示す。例えば、ＵＥは、図２ＡのＵＥ２０１、又は図２ＢのＵＥ２０１’であってよい。ソースＲＡＮ又はターゲットＲＡＮは、図２ＡのＡＮ装置２０２、又は図２ＢのＡＮ装置２０２’であってよい。ＡＭＦは、図２ＡのＡＭＦネットワーク要素２０３、又は図２ＢのＡＭＦネットワーク要素２０３’であってよい。ＳＭＦは、図２ＡのＡＭＦネットワーク要素２０４、又は図２ＢのＳＭＦネットワーク要素２０４’であってよい。ソースＩ−ＵＰＦ、ターゲットＩ−ＵＰＦ、アンカーＵＰＦ１、又はアンカーＵＰＦ２は、図２ＡのＵＰＦネットワーク要素２０５、又は図２ＢのＵＰＦネットワーク要素２０５’であってよい。ＵＬＣＬでは、Ｉ−ＵＰＦはＵＬＣＬ  ＵＰＦである。ＩＰｖ６マルチホーミングセッションシナリオでは、Ｉ−ＵＰＦはＢＰ  ＵＰＦである。
【００５５】
図４Ａ及び図４Ｂの一例では、ＰＤＵセッションは、それぞれアンカーＵＰＦ１及びアンカーＵＰＦ２に対応する２つのブランチを有する。しかしながら、本願はこれに限定されず、ＰＤＵセッションは、別の数の複数のブランチ（又はパスと呼ばれる）を更に有してよい。
【００５６】
図４Ａ及び図４Ｂに示すように、方法は以下のステップを含む。
【００５７】
ＵＥが移動する前に、ＵＥとＤＮとの間のＰＤＵセッションは、セッション確立手順を用いて確立されてよい。ＰＤＵセッションは、アンカーＵＰＦ１に対応するブランチ１、及びアンカーＵＰＦ２に対応するブランチ２を有する。この場合、アップリンク（uplink,  UL）／ダウンリンク（downlink,  DL）データパケットのパスは、ＵＥ、ソースＲＡＮ、ソースＩ−ＵＰＦ、及びアンカーＵＰＦ１を通る一方のパス、及びＵＥ、ソースＲＡＮ、ソースＩ−ＵＰＦ、及びアンカーＵＰＦ２を通る他方のパス、を含む。
【００５８】
ＵＥの移動は、ＲＡＮハンドオーバをトリガする。例えば、ＲＡＮハンドオーバは、Ｘｎに基づくハンドオーバ（Xn−based  handover）であってよい。ＲＡＮハンドオーバは、少なくとも、ハンドオーバ準備段階、及びハンドオーバ実行段階を含む。ハンドオーバ準備段階の後に、ターゲットＲＡＮはＵＥにサービスする。例えば、アップリンクデータパケットのパスは、ＵＥ、ターゲットＲＡＮ、ソースＩ−ＵＰＦ、及びアンカーＵＰＦ１を通る一方のパス、及びＵＥ、ターゲットＲＡＮ、ソースＩ−ＵＰＦ、及びアンカーＵＰＦ２を通る他方のパス、を含む。ダウンリンクデータパケットは、ＵＥへ、ソースＲＡＮとターゲットＲＡＮとの間の転送トンネルを通じて送信される。
【００５９】
ステップ４０１。ターゲットＲＡＮは、パス切り替え要求をＡＭＦに送信する。
【００６０】
例えば、ハンドオーバ実行段階の後に、ＡＭＦにＵＥ２０１が新しいターゲットセルに移動したことを通知するために、ターゲットＲＡＮは、パス切り替え要求をＡＭＦに送信する。パス切り替え要求は、Ｎ２パス切り替え要求（N２  pathswitch  request）であってよい。パス切り替え要求は、切り替えられるべきＰＤＵセッション及びセッション管理（session  management,  SM）情報を運ぶ。例えば、ＳＭ情報はＮ２  ＳＭ情報であり、Ｎ２  ＳＭ情報はターゲットＲＡＮに関する情報を含む。ターゲットＲＡＮに関する情報は、ターゲットＲＡＮのアドレス及びトンネル情報を含んでよい。例えば、ターゲットＲＡＮのトンネル情報は、アップリンクトンネル識別子、及びターゲットＲＡＮのダウンリンクトンネル識別子を含む。
【００６１】
ステップ４０２。ＡＭＦは、ＳＭＦにコンテキスト更新要求を送信する。
【００６２】
例えば、ＡＭＦは、ＳＭＦに要求を送信し、ＳＭＦのサービスを呼び出してよい：Ｎｓｍｆ＿ＰＤＵ  Ｓｅｓｓｉｏｎ＿Ｕｐｄａｔｅ  ＳＭ  Ｃｏｎｔｅｘｔ（Nsmf_PDU  Session_Update  SM  Context）。サービスを呼び出すための要求は、被切り替えＰＤＵセッション、ＳＭ情報、及びＵＥの位置情報を運ぶ。
【００６３】
要求を受信した後に、ＳＭＦは、現在のＵＰＦ（つまり、ソースＩ−ＵＰＦ）がＵＥにサービスし続けることができるか否かを決定する。ソースＩ−ＵＰＦがＵＥにサービスし続けることができないとき、ＳＭＦは、ＵＥの位置情報に基づき、ターゲットＩ−ＵＰＦを選択する。
【００６４】
ステップ４０３ａ。ＳＭＦは、セッション確立要求をターゲットＩ−ＵＰＦに送信する。
【００６５】
セッション確立要求は、ＳＭＦとターゲットＩ−ＵＰＦとの間にＮ４セッションを確立することを要求するために使用される。例えば、セッション確立要求は、Ｎ４セッション確立要求（N４  session  establishment  request）である。セッション確立要求は、ターゲットＲＡＮに関する情報を含む。
【００６６】
ステップ４０３ｂ。ターゲットＩ−ＵＰＦは、セッション確立要求をＳＭＦに送信する。
【００６７】
セッション確立要求を受信した後に、ターゲットＩ−ＵＰＦは、セッション確立応答をＳＭＦネットワーク要素２０４にフィードバックする。例えば、セッション確立応答は、Ｎ４セッション確立応答（N４  session  establishment  response）である。セッション確立応答は、ターゲットＩ−ＵＰＦに関する情報を含む。ターゲットＩ−ＵＰＦに関する情報は、ターゲットＩ−ＵＰＦのアドレス及びトンネル情報のうちの少なくとも１つを含んでよい。例えば、ターゲットＩ−ＵＰＦのトンネル情報は、少なくとも、ターゲットＩ−ＵＰＦのダウンリンクユーザプレーンのトンネル識別子を含む。
【００６８】
ステップ４０４ａ。ＳＭＦは、セッション変更要求をアンカーＵＰＦ１に送信する。
【００６９】
ステップ４０４ｂ。アンカーＵＰＦ１は、セッション変更応答をＳＭＦに送信する。
【００７０】
ステップ４０５ａ。ＳＭＦは、セッション変更要求をアンカーＵＰＦ２に送信する。
【００７１】
ステップ４０５ｂ。アンカーＵＰＦ２は、セッション変更応答をＳＭＦに送信する。
【００７２】
ステップ４０４ａ〜４０５ｂは、各ブランチにあるアンカーＵＰＦのユーザプレーン情報を更新するために使用される。例えば、ステップ４０４ａ及びステップ４０５ａのセッション変更要求は、Ｎ４セッション変更要求（N４  session  modification  request）であってよく、ターゲットＩ−ＵＰＦに関する情報を含む。アンカーＵＰＦのユーザプレーン情報を更新することは、アンカーＵＰＦに格納されたソースＩ−ＵＰＦに関する情報をターゲットＩ−ＵＰＦに関する情報へと更新することを表す。ユーザプレーン情報の更新が完了した後に、パス切り替え（又はパス更新と呼ばれる）が完了したと見なされてよい。ステップ４０４ｂ及びステップ４０５ｂのセッション変更応答は、Ｎ４セッション変更応答（N４  session  modification  response）であってよい。
【００７３】
ＳＭＦがＰＤＵセッションの中の一部のブランチのみを切り替えることを決定した場合、被切り替えブランチにあるアンカーＵＰＦのユーザプレーン情報のみが、更新されてよい。この場合、切り替えられないブランチについては、セッション変更要求は送信されなくてよい。その結果、ユーザプレーン情報は更新されない。代替として、ＳＭＦは、セッション変更要求を用いて、切り替えられないブランチ上のアンカーユーザプレーン機能ネットワーク要素に、ダウンリンクデータパケットの伝送を停止するよう指示してよい。
【００７４】
第１伝送制御ソリューションでは、ＳＭＦは、複数のアンカーユーザプレーン機能ネットワーク要素のうちの１つのアンカーユーザプレーン（これは第１アンカーユーザプレーン機能ネットワーク要素と呼ばれてよい）にのみ、エンドマーカを送信するよう指示する。
【００７５】
任意で、ＳＭＦが、複数のアンカーユーザプレーン機能ネットワーク要素のうちの、第１アンカーユーザプレーン機能ネットワーク要素以外の少なくとも１つのアンカーユーザプレーン機能ネットワーク要素のユーザプレーン情報を更新した後に、ＳＭＦは、第１アンカーユーザプレーン機能ネットワーク要素にエンドマーカを送信するよう指示する。
【００７６】
図４Ａ及び図４Ｂの例で、ブランチ１及びブランチ２の両方が切り替えられると仮定する。ＳＭＦは、先ず、ステップ４０４ａ及び４０４ｂを用いて、アンカーＵＰＦ１のユーザプレーン情報を更新する。次に、ＳＭＦは、ステップ４０５ａ及び４０５ｂを用いて、アンカーＵＰＦ２のユーザプレーン情報を更新する。ステップ４０４ｂの後に、ＳＭＦは、アンカーＵＰＦ２に、エンドマーカをブランチ２で送信するよう指示してよい。
【００７７】
第１の可能な実装では、ＳＭＦは、ステップ４０５ａにおけるセッション変更要求を用いて、アンカーＵＰＦ２に、エンドマーカをブランチ２で送信するよう指示してよい。具体的に言うと、ステップ４０５ａにおけるセッション変更要求は、２つの機能を有する：（１）アンカーＵＰＦ２のユーザプレーン情報を更新することを要求する、（２９アンカーＵＰＦ２にエンドマーカをブランチ２で送信するよう指示する。例えば、ステップ４０５ａのセッション変更要求は、アンカーＵＰＦ２にエンドマーカを送信するよう指示するために使用される指示情報を運ぶ。
【００７８】
第２の可能な実装では、ＳＭＦは、ステップ４０５ｃで示したように、（第１メッセージのような）別のメッセージを用いて、アンカーＵＰＦ２に、エンドマーカをブランチ２で送信するよう指示してよい。言い換えると、ステップ４０５ｃ及びステップ４０５ｂでアンカーＵＰＦ２のユーザプレーン情報を更新した後に、ＳＭＦは、第１メッセージを用いて、アンカーＵＰＦ２に、エンドマーカをブランチ２で送信するよう指示してよい。例えば、第１メッセージは、アンカーＵＰＦ２にエンドマーカを送信するよう指示するために使用される指示情報を運ぶ。第１メッセージは、セッション変更要求であってもよい。しかしながら、第１の実装からの相違は、セッション変更要求が、アンカーＵＰＦ２のユーザプレーン情報を更新するために使用されることであり、アンカーＵＰＦ２にエンドマーカをブランチ２で送信するよう指示するために使用されるセッション変更要求は、２つの異なるメッセージにより実装されてよい。
【００７９】
前述の２つの実装では、複数のアンカーユーザプレーン機能ネットワーク要素のうち、ユーザプレーン情報を最後に更新したアンカーユーザプレーン機能ネットワーク要素のみが、エンドマーカを送信する。任意で、ステップ４０４ａの前に、ＳＭＦは、まず、どのアンカーユーザプレーン機能ネットワーク要素がユーザプレーン情報を最後に更新したアンカーユーザプレーン機能ネットワーク要素であるかを選択し、言い換えると、どのアンカーユーザプレーン機能ネットワーク要素がエンドマーカを送信した第１アンカーユーザプレーン機能ネットワーク要素であるかを選択してよい。例えば、ＳＭＦは、ＵＬＣＬ又はＩＰｖ６マルチホーミングセッションシナリオにおけるリモートユーザプレーン機能ネットワーク要素、ローミングシナリオにおけるホームユーザプレーン機能ネットワーク要素、又は種々のアンカーユーザプレーン機能ネットワーク要素の中でＵＥ（又はターゲットＲＡＮ）までの最長パスを有する別のアンカーユーザプレーン機能ネットワーク要素を、第１アンカーユーザプレーン機能ネットワーク要素として決定してよい。任意で、ＳＭＦは、先ず、アンカーユーザプレーン機能ネットワーク要素とＵＥ（又はターゲットＲＡＮ）との間のパスの長さに基づき、相対的に短いパスを有するアンカーユーザプレーン機能ネットワーク要素のユーザプレーン情報を更新し、次に、相対的に長いパスを有するアンカーユーザプレーン機能ネットワーク要素のユーザプレーン情報を更新してよい。このように、ユーザプレーン情報を最後に更新したアンカーユーザプレーン機能ネットワーク要素は、ＵＥ（又はターゲットＲＡＮ）までの最長パスを有するアンカーユーザプレーン機能ネットワーク要素、つまり第１アンカーユーザプレーン機能ネットワーク要素である。
【００８０】
代替として、第２の可能な実装では、任意で、ＳＭＦが被切り替えパスの各アンカーユーザプレーン機能ネットワーク要素のユーザプレーン情報を更新した後に、ＳＭＦは、ユーザプレーン情報を最後に更新したアンカーユーザプレーン機能ネットワーク要素を第１アンカーユーザプレーン機能ネットワーク要素として決定する。同様に、ＳＭＦは、先ず、アンカーユーザプレーン機能ネットワーク要素とＵＥ（又はターゲットＲＡＮ）との間のパスの長さに基づき、相対的に短いパスを有するアンカーユーザプレーン機能ネットワーク要素のユーザプレーン情報を更新し、次に、相対的に長いパスを有するアンカーユーザプレーン機能ネットワーク要素のユーザプレーン情報を更新してよい。このように、ユーザプレーン情報を最後に更新したアンカーユーザプレーン機能ネットワーク要素は、ＵＥ（又はターゲットＲＡＮ）までの最長パスを有するアンカーユーザプレーン機能ネットワーク要素、つまり第１アンカーユーザプレーン機能ネットワーク要素である。例えば、第１アンカーユーザプレーン機能ネットワーク要素は、ＵＬＣＬ又はＩＰｖ６マルチホーミングセッションシナリオにおけるリモートユーザプレーン機能ネットワーク要素、又はローミングシナリオにおけるホームユーザプレーン機能ネットワーク要素を含む。
【００８１】
例えば、図４Ａ及び図４Ｂの例では、ＵＬＣＬ又はＩＰｖ６マルチホーミングセッションシナリオで、アンカーＵＰＦ１は、ローカルオフロードのために使用されるローカルユーザプレーン機能ネットワーク要素であり、ＵＰＦ２は、（図３Ａ又は図３Ｂに示すような）リモートユーザプレーン機能ネットワーク要素である。したがって、ＳＭＦは、アンカーＵＰＦ２にのみ、エンドマーカを送信するよう指示する。
【００８２】
さらに、アンカーＵＰＦがＳＭＦの指示情報を受信した後に、アンカーＵＰＦによりエンドマーカを構成することに加えて、エンドマーカは、代替として、ＳＭＦにより構成されてよい。したがって、ＳＭＦは、エンドマーカを、複数のアンカーユーザプレーン機能ネットワーク要素のうちの第１アンカーユーザプレーン機能ネットワーク要素にのみ送信してよい。その結果、第１アンカーユーザプレーン機能ネットワーク要素は、エンドマーカを、第１アンカーユーザプレーン機能ネットワーク要素の位置するパスで送信してよい。詳細はここで再び記載されない。
【００８３】
ステップ４０６。アンカーＵＰＦ２は、エンドマーカをソースＩ−ＵＰＦに送信する。
【００８４】
例えば、ステップ４０５ａ又は４０５ｃを用いてＳＭＦにより送信された指示情報又はエンドマーカを受信した後に、アンカーＵＰＦ２は、パスが切り替わった後に、エンドマーカを送信する。しかしながら、アンカーＵＰＦ１はエンドマーカを送信することに関する指示情報を受信せず、及びエンドマーカを受信しないので、アンカーＵＰＦ１はエンドマーカを送信しない。
【００８５】
ステップ４０７。エンドマーカを受信した後に、ソースＩ−ＵＰＦは、エンドマーカをターゲットＲＡＮにソースＲＡＮを介して送信する。
【００８６】
エンドマーカを受信した後に、ターゲットＲＡＮは、旧パスでのダウンリンクデータパケットの伝送が終了したと見なしてよく、新パスで受信したダウンリンクデータパケットをＵＥへ送信し始める。例えば、アップリンクデータパケットの新パスは、アンカーＵＰＦ１、ターゲットＩ−ＵＰＦ、ターゲットＲＡＮ、及びＵＥを通る一方のパス、及びアンカーＵＰＦ２、ターゲットＩ−ＵＰＦ、ターゲットＲＡＮ、及びＵＥを通る他方のパス、を含む。
【００８７】
ステップ４０８。ＳＭＦは、ＡＭＦにコンテキスト更新応答を送信する。
【００８８】
例えば、コンテキスト更新応答は、呼び出されたサービスの応答メッセージであってよい：「Nsmf_PDU  Session_Update  SM  Context」。コンテキスト更新応答は、ターゲットＩ−ＵＰＦのアドレス、及びターゲットＩ−ＵＰＦのアップリンクトンネル情報を運ぶ。
【００８９】
ステップ４０９。ＳＭＦは、パス切り替え肯定応答をターゲットＲＡＮに送信する。
【００９０】
例えば。パス切り替え肯定応答は、Ｎ２パス切り替え要求確認応答（N２  pathswitch  request  ack）であってよい。パス切り替え確認応答は、ターゲットＩ−ＵＰＦのアドレス、及びターゲットＩ−ＵＰＦのアップリンクトンネル情報を運ぶ。
【００９１】
パス切り替え確認応答を受信した後に、ターゲットＲＡＮは、アップリンクデータパケットを新パスで送信してよい。例えば、アップリンクデータパケットの新パスは、ＵＥ、ターゲットＲＡＮ、ターゲットＩ−ＵＰＦ、及びアンカーＵＰＦ１を通り、別の新パスは、ＵＥ、ターゲットＲＡＮ、ターゲットＩ−ＵＰＦ、及びアンカーＵＰＦ２を通る。
【００９２】
ステップ４１０。ターゲットＲＡＮは、ソースＲＡＮにリソースを開放することを通知する。
【００９３】
例えば、切り替えが成功したことを確認応答した後に、ターゲットＲＡＮは、ソースＲＡＮのリソース開放をトリガするために、リソース開放メッセージをソースＲＡＮに送信する。
【００９４】
図４Ａ及び図４Ｂの説明を参照して、図５に示すように、本願の一実施形態は、以下のステップを含む伝送制御方法を提供する。
【００９５】
ステップ５０１。第１ユーザプレーン機能ネットワーク要素の第２ユーザプレーン機能ネットワーク要素への再割り当て処理において、セッション管理機能ネットワーク要素は、複数のセッション改正要求のうちのそれぞれのセッション変更要求を、複数のアンカーユーザプレーン機能ネットワーク要素のうちの各アンカーユーザプレーン機能ネットワーク要素に送信する。ここで、複数のセッション改正要求のうちの各セッション変更要求は、第２ユーザプレーン機能ネットワーク要素に関する情報を含む。
【００９６】
例えば、第１ユーザプレーン機能ネットワーク要素は、図４Ａ及び図４ＢのソースＩ−ＵＰＦであってよく、第２ユーザプレーン機能ネットワーク要素は、図４A及び図４ＢのターゲットＩ−ＵＰＦであってよく、セッション管理機能ネットワーク要素は、図４A及び図４ＢのＳＭＦであってよい。複数のアンカーユーザプレーン機能ネットワーク要素は、図４A及び図４ＢのアンカーＵＰＦ１及びアンカーＵＰＦ２を含んでよい。
【００９７】
ステップ５０１については、図４A及び図４Ｂのステップ４０４ａ及び４０５ａの説明を参照し、詳細はここで再び説明されない。
【００９８】
ステップ５０２。セッション管理機能ネットワーク要素は、複数のアンカーユーザプレーン機能ネットワーク要素のうちの第１アンカーユーザプレーン機能ネットワーク要素にのみ、エンドマーカを送信するよう指示し、又は、セッション管理機能ネットワーク要素は、エンドマーカを第１アンカーユーザプレーン機能ネットワーク要素にのみ送信する。
【００９９】
例えば、第１アンカーユーザプレーン機能ネットワーク要素は、図４Ａ及び図４ＢのアンカーＵＰＦ２であってよい。
【０１００】
例えば、セッション管理機能ネットワーク要素は、第１アンカーユーザプレーン機能ネットワーク要素に送信されるセッション変更要求を用いて、第１アンカーユーザプレーン機能ネットワーク要素に、エンドマーカを送信するよう指示し、又は、セッション変更要求がエンドマーカを含み、或いは、
セッション管理機能ネットワーク要素は、第１アンカーユーザプレーン機能ネットワーク要素に送信される第１メッセージを用いて、第１アンカーユーザプレーン機能ネットワーク要素に、エンドマーカを送信するよう指示し、又は、セッション変更要求がエンドマーカを含む。
【０１０１】
ステップ５０２については、図４A及び図４Ｂのステップ４０５ａ及び４０５ｃの説明を参照し、詳細はここで再び説明されない。
【０１０２】
例えば、ステップ５０１は、先ず、セッション管理機能ネットワーク要素により、それぞれの第１セッション変更要求を、複数のアンカーユーザプレーン機能ネットワーク要素のうちの第１アンカーユーザプレーン機能ネットワーク要素以外の各アンカーユーザプレーン機能ネットワーク要素に送信し、次に、第２セッション変更要求を、第１アンカーユーザプレーン機能ネットワーク要素に送信する。言い換えると、第１アンカーユーザプレーン機能ネットワーク要素は、複数のアンカーユーザプレーン機能ネットワーク要素の中で、最後にセッション変更要求を受信し及びパスを更新したアンカーユーザプレーン機能ネットワーク要素である。したがって、セッション管理機能ネットワーク要素は、パスを最後に更新したアンカーユーザプレーン機能ネットワーク要素にのみ、エンドマーカを送信するよう指示する。このように、パスを最後に更新したアンカーユーザプレーン機能ネットワーク要素がエンドマーカを送信すると、第１アンカーユーザプレーン機能ネットワーク要素を除く、複数のアンカーユーザプレーン機能ネットワーク要素のうちのアンカーユーザプレーン機能ネットワーク要素の各々は、パス切り替えを完了しており、言い換えると、対応するブランチでのダウンリンクデータパケットの伝送を完了している。したがって、パスを最後に更新するアンカーユーザプレーン機能ネットワーク要素により送信されるエンドマーカは、旧パスでのパケット伝送が完了したことを示すために使用される。したがって、前述の方法の使用は、旧パスでのデータパケット損失を回避し、ユーザ経験を向上し得る。
【０１０３】
任意で、セッション管理機能ネットワーク要素がそれぞれのセッション変更要求を、第１アンカーユーザプレーン機能ネットワーク要素を除く、複数のアンカーユーザプレーン機能ネットワーク要素のうちの各アンカーユーザプレーン機能ネットワーク要素に送信した後に、ステップ５０２が実行されてよい。例えば、複数のアンカーユーザプレーン機能ネットワーク要素がアンカーユーザプレーン機能ネットワーク要素Ａ、Ｂ、及びＣを含み、第１アンカーユーザプレーン機能ネットワーク要素がアンカーユーザプレーン機能ネットワーク要素Ｃである場合、それぞれの変更要求をアンカーユーザプレーン機能ネットワーク要素Ａ及びＢの各々に送信した後に、セッション管理機能ネットワーク要素は、アンカーユーザプレーン機能ネットワーク要素Ｃに、エンドマーカを送信するよう指示し、又はエンドマーカをアンカーユーザプレーン機能ネットワーク要素Ｃに送信してよい。上述のように、アンカーユーザプレーン機能ネットワーク要素Ｃに送信されるセッション変更要求又は別のメッセージは、アンカーユーザプレーン機能ネットワーク要素Ｃにエンドマーカを送信するよう指示するために、又はエンドマーカをアンカーユーザプレーン機能ネットワーク要素Ｃに送信するために使用されてよい。詳細はここで再び記載されない。アンカーユーザプレーン機能ネットワーク要素Ｃに送信されるセッション変更要求は、アンカーユーザプレーン機能ネットワーク要素Ｃにエンドマーカを送信するよう指示するために、又はエンドマーカをアンカーユーザプレーン機能ネットワーク要素Ｃに送信するために使用されてよく、シグナリング相互作用が更に削減されてよく、ネットワークリソースを節約する。
【０１０４】
任意で、方法は、セッション管理機能ネットワーク要素により、第１アンカーユーザプレーン機能ネットワーク要素を決定するステップを更に含む。例えば、セッション管理機能ネットワーク要素は、特定のアンカーユーザプレーン機能ネットワーク要素を、エンドマーカを送信する第１アンカーユーザプレーン機能ネットワーク要素として指定してよい。例えば、セッション管理機能ネットワーク要素は、それぞれのセッション変更要求を複数のアンカーユーザプレーン機能ネットワーク要素の各々に送信する前に、第１アンカーユーザプレーン機能ネットワーク要素を決定し、又は、それぞれのセッション変更要求を複数のアンカーユーザプレーン機能ネットワーク要素の各々に送信した後に、第１アンカーユーザプレーン機能ネットワーク要素を決定してよい。
【０１０５】
例えば、特定のアンカーユーザプレーン機能ネットワーク要素は、リモートユーザプレーン機能ネットワーク要素、ホームユーザプレーン機能ネットワーク要素、又は、種々のユーザプレーン機能ネットワーク要素の中でＵＥ（又はターゲットＲＡＮ）までの最長パスを有するアンカーユーザプレーン機能ネットワーク要素を含んでよい。特定のアンカーユーザプレーン機能ネットワーク要素がパスを最後に更新したアンカーユーザプレーン機能ネットワーク要素であるとき、前述の効果が達成され得る。第１アンカーユーザプレーン機能ネットワーク要素がパスを最後に更新したアンカーユーザプレーン機能ネットワーク要素ではない場合、パスを更新した後に第１アンカーユーザプレーン機能ネットワーク要素がエンドマーカを送信すると、別の旧パス上でのデータパケットの伝送が基本的に完了する。したがって、旧パスでのデータパケット損失が低減され、ユーザ経験が向上する。
【０１０６】
図６Ａ及び図６Ｂは、本願の一実施形態による第２伝送制御方法のシグナリング相互作用図である。第２ソリューションによると、複数のアンカーユーザプレーン機能ネットワーク要素により送信されたエンドマーカを受信した後に、ソースＩ−ＵＰＦは、エンドマーカをターゲットＲＡＮへソースＲＡＮを介して送信する。
【０１０７】
同様に、図６Ａ及び図６Ｂは、ＵＥ、ソースＲＡＮ、ターゲットＲＡＮ、ＡＭＦ、ＳＭＦ、ソースＩ−ＵＰＦ、ターゲットＩ−ＵＰＦ、アンカーＵＰＦ１、及びアンカーＵＰＦ２の間の相互作用を示す。詳細については、図４A及び図４Ｂの説明を参照し、詳細はここで再び説明されない。
【０１０８】
図６Ａ及び図６Ｂに示すように、方法は以下のステップを含む。
【０１０９】
ステップ６０１。ターゲットＲＡＮは、パス切り替え要求をＡＭＦに送信する。
【０１１０】
ステップ６０２。ＡＭＦは、ＳＭＦにコンテキスト更新要求を送信する。
【０１１１】
ステップ６０３ａ。ＳＭＦは、セッション確立要求をターゲットＩ−ＵＰＦに送信する。
【０１１２】
ステップ６０３ｂ。ターゲットＩ−ＵＰＦは、セッション確立要求をＳＭＦに送信する。
【０１１３】
ステップ６０４ａ。ＳＭＦは、セッション変更要求をアンカーＵＰＦ１に送信する。
【０１１４】
ステップ６０４ｂ。アンカーＵＰＦ１は、セッション変更応答をＳＭＦに送信する。
【０１１５】
ステップ６０５ａ。ＳＭＦは、セッション変更要求をアンカーＵＰＦ２に送信する。
【０１１６】
ステップ６０５ｂ。アンカーＵＰＦ２は、セッション変更応答をＳＭＦに送信する。
【０１１７】
ステップ６０１〜６０５ｂ及びステップ６０１の前の関連する動作については、図４Ａ及び図４Ｂのステップ４０１〜４０５ｂの説明を参照し、詳細はここで再び説明されない。
【０１１８】
ステップ６０６。ＳＭＦは、第１指示情報をソースＩ−ＵＰＦに送信する。第１指示情報は、ソースＩ−ＵＰＦに、各ブランチで送信されたエンドマーカを受信した後に、エンドマーカをアクセスネットワーク装置に送信するよう指示する。代替として、第１指示情報は、ソースＩ−ＵＰＦに、最後のエンドマーカを受信した後に、最後に受信したエンドマーカをアクセスネットワーク装置に送信するよう指示する。
【０１１９】
例えば、第１指示情報は、数情報を含む。数情報は、複数のパスのうち、エンドマーカを送信するためのパスの数を示す。第２ソリューションでは、言い換えると、数情報は、複数のパスのうち、被切り替えパスの数を示す。数情報は、複数のパスのうち、エンドマーカを送信するためのパスの数の特定値であってよい。代替として、数情報は、複数のパスのうち、エンドマーカを送信するためのパスのトンネル情報であってよい。図６Ａ及び図６Ｂの例では、数情報は２であってよく、エンドマーカが２つのパスで送信されることを示し、又は、数情報は、ブランチ１及びブランチ２のトンネル情報であってよく、エンドマーカが２つのパス：ブランチ１及びブランチ２で送信されることを示す。
【０１２０】
例えば、ＳＭＦは、セッション変更要求をソースＩ−ＵＰＦに送信する。ここで、セッション変更要求は、第１指示情報を含む。任意で、セッション確立要求を受信した後に、ソースＩ−ＵＰＦは、セッション確立応答をＳＭＦに返す。
【０１２１】
図６Ａ及び図６Ｂの例では、ＳＭＦは、Ｉ−ＵＰＦの再割り当て処理において、第１指示情報をソースＩ−ＵＰＦに送信する。留意すべきことに、ステップ６０６を実行する機会は、本願において限定されず、ＳＭＦは、Ｉ−ＵＰＦの再割り当て処理においてステップ６０２の後の任意の時点でステップ６０６を実行してよい。代替として、ＳＭＦは、Ｉ−ＵＰＦの再割り当ての前に、第１指示情報をソースＩ−ＵＰＦに送信してよい。例えば、ソースＩ−ＵＰＦを挿入する処理において、ＳＭＦは、第１指示情報をソースＩ−ＵＰＦに送信してよい。任意で、ソースＩ−ＵＰＦは、セッション確立手順において挿入されてよく、又はソースＩ−ＵＰＦは、セッション確立手順が終了した後に挿入されてよい。
【０１２２】
ステップ６０７。ＳＭＦは、第２指示情報をソースＩ−ＵＰＦに送信する。第２指示情報は、ソースＩ−ＵＰＦにおいて第１セッションのダウンリンクデータパケットの検出のために使用される。
【０１２３】
同様に、図６Ａ及び図６Ｂの例では、ＳＭＦは、Ｉ−ＵＰＦの再割り当て処理において、第２指示情報をソースＩ−ＵＰＦに送信する。留意すべきことに、ステップ６０７を実行する機会は、本願において限定されず、ＳＭＦは、Ｉ−ＵＰＦの再割り当て処理においてステップ６０２の後の任意の時点でステップ６０７を実行してよい。代替として、ＳＭＦは、Ｉ−ＵＰＦの再割り当ての前に、第２指示情報をソースＩ−ＵＰＦに送信してよい。例えば、ソースＩ−ＵＰＦを挿入する処理において、ＳＭＦは、第２指示情報をソースＩ−ＵＰＦに送信してよい。任意で、ソースＩ−ＵＰＦは、セッション確立手順において挿入されてよく、又はソースＩ−ＵＰＦは、セッション確立手順が終了した後に挿入されてよい。
【０１２４】
第１セッションは、ブランチ１及びブランチ２に対応するセッションである。
【０１２５】
ステップ６０８ａ。パス切り替えを完了した後に、アンカーＵＰＦ１はエンドマーカをソースＩ−ＵＰＦに送信する。
【０１２６】
ステップ６０８ｂ。パス切り替えを完了した後に、アンカーＵＰＦ２は、エンドマーカ２をソースＩ−ＵＰＦに送信する。
【０１２７】
ソースＩ−ＵＰＦは、第２指示情報に基づき、第１セッションの受信したダウンリンクデータパケットを検出し、検出結果に基づき、ダウンリンクデータパケットをエンドマーカとして決定する。例えば、ソースＩ−ＵＰＦは、それぞれのダウンリンクデータパケットをブランチ１及びブランチ２で受信し、ダウンリンクデータパケットの各々はパケットヘッダ及びデータを含む。ブランチ１及びブランチ２は、第１セッションのセッションブランチである。したがって、ブランチ１及びブランチ２で伝送されるダウンリンクデータパケットは、第１セッションのダウンリンクデータパケットである。ソースＩ−ＵＰＦは、それぞれの受信したダウンリンクデータパケットを検出し、パケットヘッダに基づき、第１セッションのダウンリンクデータパケットをエンドマーカとして決定する。したがって、ソースＩ−ＵＰＦは、エンドマーカ１及びエンドマーカ２が受信されたことが分かる。
【０１２８】
ステップ６０９。第１パスのエンドマーカを受信した後に、ソースＩ−ＵＰＦは、第１指示情報に基づき、エンドマーカをターゲットＲＡＮにソースＲＡＮを介して送信する。第１パスは、エンドマーカを最後に送信するパスである。
【０１２９】
言い換えると、各ブランチで送信されたそれぞれのエンドマーカを受信した後に（言い換えると、最後に送信されたエンドマーカを受信した後に）、ソースＩ−ＵＰＦは、エンドマーカをターゲットＲＡＮにソースＲＡＮを介して送信する。図６Ａ及び図６Ｂの例では、ブランチ２は、エンドマーカを最後に送信するパスである。
【０１３０】
例えば、ソースＩ−ＵＰＦは、第１指示情報に基づき、ブランチ２を第１パスとして決定する。ソースＩ−ＵＰＦが、数情報により示される数に等しい数のエンドマーカを受信すると、ソースＩ−ＵＰＦは、エンドマーカを最後に送信したパス、つまりブランチ２を、第１パスとして決定する。例えば、第１指示情報が複数のパスのうちのエンドマーカを送信するパスの数の特定値、例えば２であるとき、２つのエンドマーカを受信した後に、ソースＩ−ＵＰＦは、エンドマーカを最後に送信するパスを第１パスとして決定する。代替として、数情報が複数のパスの中でエンドマーカを送信するパスのトンネル情報、例えばブランチ１及びブランチ２のトンネル情報であるとき、ブランチ１及びブランチ２で送信されたエンドマーカを受信した後に、ソースＩ−ＵＰＦは、エンドマーカを最後に送信したブランチ２を第１パスとして決定する。
【０１３１】
任意で、別のパスで予め受信されたエンドマーカ、例えばブランチ１で受信されたエンドマーカについては、ソースＩ−ＵＰＦはエンドマーカを破棄してよい。
【０１３２】
エンドマーカを受信した後に、ターゲットＲＡＮは、旧パスでのダウンリンクデータパケットの伝送が終了したと見なしてよく、新パスで受信したダウンリンクデータパケットをＵＥへ送信し始める。例えば、ダウンリンクデータパケットの新パスは、アンカーＵＰＦ１、ターゲットＩ−ＵＰＦ、ターゲットＲＡＮ、及びＵＥを通る一方のパス、及びアンカーＵＰＦ２、ターゲットＩ−ＵＰＦ、ターゲットＲＡＮ、及びＵＥを通る他方のパス、を含む。
【０１３３】
ステップ６１０。ＳＭＦは、ＡＭＦにコンテキスト更新応答を送信する。
【０１３４】
ステップ６１１。ＳＭＦは、パス切り替え肯定応答をターゲットＲＡＮに送信する。
【０１３５】
ステップ６１２。ターゲットＲＡＮは、ソースＲＡＮにリソースを開放することを通知する。
【０１３６】
ステップ６１０〜６１２については、図４A及び図４Ｂのステップ４０８〜４１０の説明を参照し、詳細はここで再び説明されない。
【０１３７】
図６Ａ及び図６Ｂのソリューションは、複数のパスの中に少なくとも２つの被切り替えパスが存在するシナリオに適用可能である。Ｉ−ＵＰＦの再割り当ての前に、ソースＩ−ＵＰＦが２つのパスでデータパケットを送受信する場合、図６Ａ及び図６Ｂに記載したように、２つのパスは切り替えられる。Ｉ−ＵＰＦの再割り当ての前に、ソースＩ−ＵＰＦがデータパケットを２つのパスより多い複数のパスで送受信する場合、複数のパスの中に少なくとも２つの被切り替えパスが存在し、別の切り替えられないパスが存在してよい。切り替えられないパスについては、ＳＭＦは、切り替えられないパス上のアンカーユーザプレーン機能ネットワーク要素に、エンドマーカを送信するよう指示せず、エンドマーカを切り替えられないパス上のアンカーユーザプレーン機能ネットワーク要素に送信しない。更に、図４Ａ及び図４Ｂに記載のように、切り替えられないパスについては、ＳＭＦは、セッション変更要求を送信しなくてよい。その結果、ユーザプレーン情報は更新されない。代替として、ＳＭＦは、セッション変更要求を用いて、切り替えられないパス上のアンカーユーザプレーン機能ネットワーク要素に、ダウンリンクデータパケットの伝送を停止するよう指示してよい。
【０１３８】
例えば、Ｉ−ＵＰＦの再割り当ての前に、ソースＩ−ＵＰＦは、３つのパスでデータパケットを送受信し、３つのパスはパスａ、ｂ、及びｃである。３つのパスの全部が切り替えらるとき、第１指示情報は３又はパスａ、ｂ、及びｃのトンネル情報であってよく、エンドマーカが３つのパスで送信されることを示す。エンドマーカを受信した後に、ソースＩ−ＵＰＦは、エンドマーカをターゲットＲＡＮにソースＲＡＮを介して送信する。３つのパスののうちパスａ及びｂのみが切り替えらる場合、第１指示情報は２又はパスａ及びｂのトンネル情報であってよく、エンドマーカが２つのパスで送信されることを示す。２つのエンドマーカを受信した後に、ソースＩ−ＵＰＦは、エンドマーカをターゲットＲＡＮにソースＲＡＮを介して送信する。
【０１３９】
更に、複数のパスの中に切り替えられないパスが存在するシナリオのために、本願は更に第３ソリューションを提供する。第２ソリューションと同様に、複数のアンカーユーザプレーン機能ネットワーク要素により送信されたエンドマーカを受信した後に、ソースＩ−ＵＰＦは、エンドマーカをターゲットＲＡＮへソースＲＡＮを介して送信する。しかしながら、切り替えられないパスについて、セッション管理機能ネットワーク要素は、切り替えられないパス上のアンカーユーザプレーン機能ネットワーク要素に、エンドマーカを送信するよう依然として指示し、又はエンドマーカをアンカーユーザプレーン機能ネットワーク要素に送信する。相応して、指示情報又はエンドマーカを受信した後に、切り替えられないパス上のアンカーユーザプレーン機能ネットワーク要素は、エンドマーカをソースＩ−ＵＰＦに送信する。言い換えると、エンドマーカは、パスが切り替えられるか否かにかかわらず、パスで送信される必要がある。
【０１４０】
第３ソリューションでは、複数のアンカーユーザプレーン機能ネットワーク要素により送信されたエンドマーカを受信した後に、ソースＩ−ＵＰＦは、ＳＭＦにより送信された第１指示情報に基づき、エンドマーカをターゲットＲＡＮへソースＲＡＮを介して送信する。第１指示情報の関連する説明については、図６Ａ及び図６Ｂを参照する。詳細はここで再び記載されない。代替として、ソースＩ−ＵＰＦは、複数のアンカーユーザプレーン機能ネットワーク要素により送信されたエンドマーカを受信した後に、エンドマーカをターゲットＲＡＮへソースＲＡＮを介して送信するよう構成されてよい。
【０１４１】
更に、第１指示情報（数情報）は複数のパスのうちエンドマーカを送信するパスの数を示すために使用されてよく、第３ソリューションでは、エンドマーカは、パスが切り替えられるか否かにかかわらず、各パスで送信される必要があるので、第１指示情報（数情報）は、複数のパスの数を示すために使用されてよい。
【０１４２】
第２ソリューションと同様に、ソースＩ−ＵＰＦは、第２指示情報をＳＭＦから受信し、第２指示情報に基づき第１セッションのダウンリンクデータパケットを検出して、ダウンリンクデータパケットがエンドマーカであることを知る。第２指示情報の関連する説明については、図６Ａ及び図６Ｂを参照する。詳細はここで再び記載されない。
【０１４３】
第２及び第３ソリューションを参照して、図７Ａに示すように、本願の一実施形態は、以下のステップを含む伝送制御方法を提供する。
【０１４４】
ステップ７０１。第１ユーザプレーン機能ネットワーク要素は、図６Ａ及び図６ＢのソースＩ−ＵＰＦであってよい。
【０１４５】
例えば、第１ユーザプレーン機能ネットワーク要素は、図６Ａ及び図６ＢのソースＩ−ＵＰＦであってよい。複数のパスは、図６Ａ及び図６Ｂのブランチ１及びブランチ２であってよい。
【０１４６】
ステップ７０２。第１エンドマーカを第１パスで受信した後に、第１ユーザプレーン機能ネットワーク要素は、第１エンドマーカをアクセスネットワーク装置に送信する。ここで、第１パスは、複数のパスのうちエンドマーカを最後に送信するパスである。
【０１４７】
例えば、第１パスは、図６Ａ及び図６Ｂのブランチ２であってよく、第１エンドマーカはブランチ２で送信されたエンドマーカ２である。アクセスネットワーク装置は、図６Ａ及び図６ＢのソースＲＡＮであってよい。第１エンドマーカはソースＲＡＮにより転送され、最終的にターゲットＲＡＮに送信されるので、アクセスネットワーク装置は、図６Ａ及び図６ＢのターゲットＲＡＮとしても理解されてよい。
【０１４８】
ステップ７０２については、図６A及び図６Ｂのステップ６０９の説明を参照し、詳細はここで再び説明されない。
【０１４９】
伝送制御方法によると、第１ユーザプレーン機能ネットワーク要素は、最後に送信されたエンドマーカを受信した後に、エンドマーカをアクセスネットワーク装置に送信する。このように、パスを最後に更新したアンカーユーザプレーン機能ネットワーク要素がエンドマーカを送信するとき、別のアンカーユーザプレーン機能ネットワーク要素は、パス切り替えを完了しており、言い換えると、ブランチでのダウンリンクデータパケットの伝送を完了している。したがって、パスを最後に更新するアンカーユーザプレーン機能ネットワーク要素により送信されるエンドマーカは、旧パスでのパケット伝送が完了したことを示すために使用される。したがって、前述の方法の使用は、旧パスでのデータパケット損失を回避し、ユーザ経験を向上し得る。
【０１５０】
最後に送信されたのではないエンドマーカ、例えばブランチ１で送信されたエンドマーカについては、第１ユーザプレーン機能ネットワーク要素は、アクセスネットワーク装置に、最後に送信されたのではないエンドマーカを、最後に送信されたエンドマーカと一緒に送信してよい。代替として、第１ユーザプレーン機能ネットワーク要素は、最後に送信されたのではないエンドマーカを直接破棄してよい。具体的にいうと、任意で、方法は、第１ユーザプレーン機能ネットワーク要素により、第２エンドマーカを、複数のパスのうちの第２パスで受信し、第２エンドマーカを破棄するステップを更に含む。第２パスは、複数のパスのうちのエンドマーカを最後に送信たのではない任意のパスである。このように、第１ユーザプレーン機能ネットワーク要素の記憶リソースが節約され得る。例えば、第２パスは、図６Ａ及び図６Ｂのブランチ１であってよく、第２エンドマーカはブランチ１で送信されたエンドマーカ１である。
【０１５１】
任意で、方法は、第１ユーザプレーン機能ネットワーク要素により、第１指示情報をセッション管理機能ネットワーク要素から受信するステップであって、第１指示情報は第１ユーザプレーン機能ネットワーク要素に、第１エンドマーカを第１パスで受信した後に、第１エンドマーカをアクセスネットワーク装置に送信するよう指示する、ステップ、を更に含む。例えば、セッション管理機能ネットワーク要素は、図６Ａ及び図６ＢのＳＭＦであってよい。
【０１５２】
このステップについては、図６Ａ及び図６Ｂのステップ６０６の説明を参照する。例えば、第１ユーザプレーン機能ネットワーク要素を挿入する処理において、又は第１ユーザプレーン機能ネットワーク要素を再割り当てする処理において、第１ユーザプレーン機能ネットワーク要素は、第１指示情報をセッション管理機能ネットワーク要素から受信してよい。第１指示情報は数情報を含み、数情報は、複数のパスのうちエンドマーカを送信するパスの数を示す。したがって、第１ユーザプレーン機能ネットワーク要素は、第１指示情報に基づき第１パスを決定してよい。例えば、複数のパスのうちのエンドマーカを送信するパスの数に等しい数のエンドマーカを受信すると、第１ユーザプレーン機能ネットワーク要素は、エンドマーカを最後に送信するパスを第１パスとして決定する。
【０１５３】
任意で、複数のパスで送受信されるデータパケットは、第１セッションのデータパケットである。方法は、第１ユーザプレーン機能ネットワーク要素により、第２指示情報をセッション管理機能ネットワーク要素から受信するステップと、
第２指示情報に基づき第１セッションのダウンリンクデータパケットを検出するステップと、
検出結果に基づき、ダウンリンクデータパケットをエンドマーカとして決定するステップと、を更に含む。
【０１５４】
このステップについては、図６Ａ及び図６Ｂのステップ６０７の説明を参照する。例えば、第１ユーザプレーン機能ネットワーク要素を挿入する処理において、又は第１ユーザプレーン機能ネットワーク要素を再割り当てする処理において、第１ユーザプレーン機能ネットワーク要素は、第２指示情報をセッション管理機能ネットワーク要素から受信してよい。
【０１５５】
図７Ｂは、本願の一実施形態による伝送制御方法を示し、方法は以下のステップを含む。
【０１５６】
ステップ７１１。セッション管理機能ネットワーク要素は、第１ユーザプレーン機能ネットワーク要素が第１セッションのデータパケットを複数のパスで送受信することを決定する。
【０１５７】
ステップ７１２。セッション管理機能ネットワーク要素は、第１指示情報を第１ユーザプレーン機能ネットワーク要素に送信する。第１指示情報は、第１パスの決定のために使用され、第１ユーザプレーン機能ネットワーク要素に、第１エンドマーカを第１パスで受信した後に、第１エンドマーカをアクセスネットワーク装置に送信するよう指示する。第１パスは、複数のパスのうちのエンドマーカを最後に送信するパスである。
【０１５８】
ステップ７１２については、図６A及び図６Ｂのステップ６０６の説明を参照し、詳細はここで再び説明されない。
【０１５９】
前述の方法によると、セッション管理機能ネットワーク要素は、第１指示情報を第１ユーザプレーン機能ネットワーク要素に送信する。第１ユーザプレーン機能ネットワーク要素は、最後に送信されたエンドマーカを受信した後に、第１指示情報に基づき、エンドマーカをアクセスネットワーク装置に送信する。このように、パスを最後に更新するアンカーユーザプレーン機能ネットワーク要素により送信されるエンドマーカは、旧パスでのパケット伝送が完了したことを示すために使用される。したがって、前述の方法の使用は、旧パスでのデータパケット損失を回避し、ユーザ経験を向上し得る。
【０１６０】
任意で、第１指示情報は数情報を含み、数情報は、複数のパスのうちエンドマーカを送信するパスの数を示す。
【０１６１】
任意で、セッション管理機能ネットワーク要素によが、第１指示情報を第１ユーザプレーン機能ネットワーク要素に送信することは、
第１ユーザプレーン機能ネットワーク要素を挿入する処理において、又は第１ユーザプレーン機能ネットワーク要素を再割り当てする処理において、セッション管理機能ネットワーク要素により、第１指示情報を第１ユーザプレーン機能ネットワーク要素に送信するステップを含む。
【０１６２】
任意で、方法は、セッション管理機能ネットワーク要素により、第２指示情報を第１ユーザプレーン機能ネットワーク要素に送信するステップであって、第２指示情報は、第１ユーザプレーン機能ネットワーク要素における第１セッションのダウンリンクデータパケットの検出のために使用される。例えば、第１ユーザプレーン機能ネットワーク要素を挿入する処理において、又は第１ユーザプレーン機能ネットワーク要素を再割り当てする処理において、セッション管理機能ネットワーク要素は、第２指示情報を第１ユーザプレーン機能ネットワーク要素に送信する。
【０１６３】
任意で、前述の第３ソリューションでは、方法は、セッション管理機能ネットワーク要素により、第１セッションの複数のパスのうちの第３パスが切り替えられないことを決定するステップと、
セッション管理機能ネットワーク要素により、エンドマーカ又は第３指示情報を、第３パスに対応するアンカーユーザプレーン機能ネットワーク要素に送信するステップであって、第３指示情報は、アンカーユーザプレーン機能ネットワーク要素に、エンドマーカを第３パスで送信するよう指示する、ステップと、を更に含む。言い換えると、エンドマーカは、パスが切り替えられるか否かにかかわらず、パスで送信される必要がある。
【０１６４】
本願で提供された前述の実施形態では、本願の実施形態で提供された種々の伝送制御方法は、各ネットワーク要素及びネットワーク要素間の相互作用の観点から個別に説明された。前述の機能を実装するために、セッション管理機能ネットワーク要素または第１ユーザプレーン機能ネットワーク要素のような各ネットワーク要素は、各機能を実行するために使用される対応するハードウェア構造及び／又はソフトウェアモジュールを含むことが理解され得る。当業者は、本願で提供された実施形態を参照して説明された例の中のユニット及びアルゴリズムステップが、ハードウェア又はハードウェアとコンピュータソフトウェアとの組み合わせにより実装されてよいことを容易に理解すべきである。機能がハードウェア又はコンピュータソフトウェアにより駆動されるハードウェアにより実行されるかは、技術的ソリューションの特定の適用及び設計制約に依存する。当業者は、特定の適用毎に、記載の機能を実施するために異なる方法を使用してよいが、実装が本願の範囲を超えると考えられるべきではない。
【０１６５】
例えば、前述のネットワーク要素がソフトウェアモジュールを用いて対応する機能を実装するとき、伝送制御機器は、図８に示すように、処理モジュール８０１及び送信モジュール８０２を含んでよい。機器は、セッション管理機能ネットワーク要素又はチップであってよい。
【０１６６】
一実施形態では、機器は、図４Ａ又は図４ＢのＳＭＦ、又は図５の（ＳＭＦのような）セッション管理機能ネットワーク要素の動作を実行するよう構成されてよい。例えば、送信モジュール８０２は、第１ユーザプレーン機能ネットワーク要素の第２ユーザプレーン機能ネットワーク要素への再割り当て処理において、複数のセッション改正要求のうちのそれぞれのセッション変更要求を、複数のアンカーユーザプレーン機能ネットワーク要素のうちの各アンカーユーザプレーン機能ネットワーク要素に送信するよう構成される。セッション変更要求は、第２ユーザプレーン機能ネットワーク要素に関する情報を含む。処理モジュール８０１は、送信モジュール８０２を用いて、複数のアンカーユーザプレーン機能ネットワーク要素のうちの第１アンカーユーザプレーン機能ネットワーク要素にのみ、エンドマーカを送信するよう指示するよう構成され、又は、送信モジュール８０２を用いて、エンドマーカを第１アンカーユーザプレーン機能ネットワーク要素にのみ送信するよう構成される。
【０１６７】
任意で、送信モジュール８０２は、先ず、それぞれの第１セッション変更要求を、複数のアンカーユーザプレーン機能ネットワーク要素のうちの第１アンカーユーザプレーン機能ネットワーク要素以外の各アンカーユーザプレーン機能ネットワーク要素に送信し、次に、第２セッション変更要求を、第１アンカーユーザプレーン機能ネットワーク要素に送信するよう構成される。したがって、セッション管理機能ネットワーク要素は、パスを最後に更新したアンカーユーザプレーン機能ネットワーク要素にのみ、エンドマーカを送信するよう指示する。このように、旧パス上でのデータパケット損失を回避し、及びユーザ経験を向上するために、パスを最後に更新するアンカーユーザプレーン機能ネットワーク要素により送信されるエンドマーカは、旧パスでのパケット伝送が完了したことを示すために使用される。
【０１６８】
任意で、送信モジュール８０２が、それぞれのセッション変更要求を、複数のアンカーユーザプレーン機能ネットワーク要素のうちの第１アンカーユーザプレーン機能ネットワーク要素以外の各アンカーユーザプレーン機能ネットワーク要素に送信した後に、処理モジュール８０１は、送信モジュール８０２を用いて、第１アンカーユーザプレーン機能ネットワーク要素にエンドマーカを送信するよう指示するよう、又は、エンドマーカを第１アンカーユーザプレーン機能ネットワーク要素に送信するよう、構成される。例えば、処理モジュール８０１は、第１アンカーユーザプレーン機能ネットワーク要素に送信されるセッション変更要求を用いて、第１アンカーユーザプレーン機能ネットワーク要素にエンドマーカを送信するよう指示するよう構成される、又はセッション変更要求がエンドマーカを含む、又は、
処理モジュール８０１は、第１アンカーユーザプレーン機能ネットワーク要素に送信される第１メッセージを用いて、第１アンカーユーザプレーン機能ネットワーク要素にエンドマーカを送信するよう指示するよう構成され、又は第１メッセージがエンドマーカを含む。
【０１６９】
任意で、処理モジュール８０１は、第１アンカーユーザプレーン機能ネットワーク要素を決定するよう更に構成される。例えば、第１アンカーユーザプレーン機能ネットワーク要素は、リモートユーザプレーン機能ネットワーク要素又はホームユーザプレーン機能ネットワーク要素を含む。
【０１７０】
別の実施形態では、機器は、図６Ａ又は図６ＢのＳＭＦ、又は図７Ｂの（ＳＭＦのような）セッション管理機能ネットワーク要素の動作を実行するよう構成されてよい。例えば、処理モジュール８０１は、第１ユーザプレーン機能ネットワーク要素が第１セッションのデータパケットを複数のパスで送受信することを決定するよう構成される。送信モジュール８０２は、第１指示情報を第１ユーザプレーン機能ネットワーク要素に送信するよう構成される。ここで、第１指示情報は、第１パスの決定のために使用され、第１ユーザプレーン機能ネットワーク要素に、第１エンドマーカを第１パスで受信した後に、第１エンドマーカをアクセスネットワーク装置に送信するよう指示し、第１パスは、複数のパスのうちエンドマーカを最後に送信するパスである。
【０１７１】
したがって、セッション管理機能ネットワーク要素は、第１指示情報を第１ユーザプレーン機能ネットワーク要素に送信する。第１ユーザプレーン機能ネットワーク要素は、最後に送信されたエンドマーカを受信した後に、第１指示情報に基づき、エンドマーカをアクセスネットワーク装置に送信する。このように、旧パス上でのデータパケット損失を回避し、及びユーザ経験を向上するために、パスを最後に更新するアンカーユーザプレーン機能ネットワーク要素により送信されるエンドマーカは、旧パスでのパケット伝送が完了したことを示すために使用される。
【０１７２】
任意で、第１指示情報は数情報を含み、数情報は、複数のパスのうちエンドマーカを送信するパスの数を示す。
【０１７３】
任意で、送信モジュール８０２は、第１ユーザプレーン機能ネットワーク要素を挿入する処理において、又は第１ユーザプレーン機能ネットワーク要素を再割り当てする処理において、第１指示情報を第１ユーザプレーン機能ネットワーク要素に送信するよう構成される。
【０１７４】
任意で、送信モジュール８０２は、第２指示情報を第１ユーザプレーン機能ネットワーク要素に送信するよう構成される。ここで、第２指示情報は、第１ユーザプレーン機能ネットワーク要素における第１セッションのダウンリンクデータパケットの検出のために使用される。例えば、送信モジュール８０２は、第１ユーザプレーン機能ネットワーク要素を挿入する処理において、又は第１ユーザプレーン機能ネットワーク要素を再割り当てする処理において、第２指示情報を第１ユーザプレーン機能ネットワーク要素に送信するよう構成される。
【０１７５】
任意で、前述の第３ソリューションでは、処理モジュール８０１は、第１セッションの複数のパスのうちの第３パスが切り替えられないことを決定し、送信モジュール８０２を用いて、エンドマーカ又は第３指示情報を、第３パスに対応するアンカーユーザプレーン機能ネットワーク要素に送信するよう構成される。ここで、第３指示情報は、アンカーユーザプレーン機能ネットワーク要素に、エンドマーカを第３パスで送信するよう指示する。言い換えると、エンドマーカは、パスが切り替えられるか否かにかかわらず、パスで送信される必要がある。
【０１７６】
前述の実施形態のいずれか１つについて、機器は、受信モジュール８０３を更に含んでよい。処理モジュール８０１、送信モジュール８０２、及び受信モジュール８０３は、前述の方法におけるＳＭＦ又はセッション管理機能ネットワーク要素の他の動作又は機能を更に実装してよく、詳細はここで再び説明されない。
【０１７７】
別の伝送制御機器は、図９に示すように、受信モジュール９０１及び送信モジュール９０３を含んでよい。任意で、機器は、処理モジュール９０２を更に含む。機器は、ユーザプレーン機能ネットワーク要素又はチップであってよい。機器は、図６Ａ又は図６ＢのソースＩ−ＵＰＦ又は図７Ａの（ソースＩ−ＵＰＦのような）第１ユーザプレーン機能ネットワーク要素の動作を実行するよう構成されてよい。例えば、受信モジュール９０１は、アップリンクデータパケットを複数のパスで受信するよう構成される。送信モジュール９０３は、ダウンリンクデータパケットを複数のパスで送信するよう構成される。送信モジュール９０３は、受信モジュール９０１が第１エンドマーカを第１パスで受信した後に、第１エンドマーカをアクセスネットワーク装置に送信するよう構成される。第１パスは、複数のパスのうちのエンドマーカを最後に送信するパスである。
【０１７８】
このように、第１ユーザプレーン機能ネットワーク要素は、最後に送信されたエンドマーカを受信した後に、エンドマーカをアクセスネットワーク装置に送信する。パスを最後に更新するアンカーユーザプレーン機能ネットワーク要素により送信されるエンドマーカは、旧パスでのパケット伝送が完了したことを示すために使用される。したがって、旧パスでのデータパケット損失が回避され、ユーザ経験が向上する。
【０１７９】
任意で、処理モジュール９０１は、受信モジュール９０１が第２エンドマーカを、複数のパスのうちの第２パスで受信した後に、第２エンドマーカを破棄するよう構成される。
【０１８０】
任意で、受信モジュール９０１は、第１指示情報をセッション管理機能ネットワーク要素から受信するよう構成される。ここで、第１指示情報は、第１ユーザプレーン機能ネットワーク要素に、第１エンドマーカを第１パスで受信した後に、第１エンドマーカをアクセスネットワーク装置に送信するよう指示する。例えば、第１ユーザプレーン機能ネットワーク要素を挿入する処理において、又は第１ユーザプレーン機能ネットワーク要素を再割り当てする処理において、受信モジュール９０１は、第１指示情報をセッション管理機能ネットワーク要素から受信するよう構成される。
【０１８１】
任意で、第１指示情報は数情報を含み、数情報は、複数のパスのうちエンドマーカを送信するパスの数を示す。任意で、処理モジュール９０２は、第１指示情報に基づき第１パスを決定するよう構成される。例えば、受信モジュール９０１が、複数のパスのうちのエンドマーカを送信するパスの数に等しい数のエンドマーカを受信すると、処理モジュール９０２は、エンドマーカを最後に送信するパスを第１パスとして決定するよう構成される。
【０１８２】
任意で、受信モジュール９０１は、第２指示情報をセッション管理機能ネットワーク要素から受信するよう更に構成される。処理モジュール９０２は、第２指示情報に基づき、第１セッションのダウンリンクデータパケットを検出し、検出結果に基づき、ダウンリンクデータパケットをエンドマーカとして決定するよう構成される。例えば、第１ユーザプレーン機能ネットワーク要素を挿入する処理において、又は第１ユーザプレーン機能ネットワーク要素を再割り当てする処理において、受信モジュール９０１は、第２指示情報をセッション管理機能ネットワーク要素から受信するよう構成される。
【０１８３】
更に、機器の中の受信モジュール９０１、処理モジュール９０２、及び送信モジュール９０３は、前述の方法におけるソースＩ−ＵＰＦ又は（ソースＩ−ＵＰＦのような）第１ユーザプレーン機能ネットワーク要素の他の動作又は機能を更に実装してよく、詳細はここで再び説明されない。
【０１８４】
図１０は、前述の実施形態で提供された伝送制御機器の別の可能な概略構造図を示す。図１０に示すように、機器は、トランシーバ１００１及びプロセッサ１００２を含む。
【０１８５】
例えば、プロセッサ１００２は、汎用マイクロプロセッサ、データ処理回路、特定用途向け集積回路（application  specific  integrated  circuit,  ASIC）、又はフィールドプログラマブルゲートアレイ（field−programmable  gate  arrays,  FPGA）回路であってよい。機器は、メモリ１００３を更に含んでよい。例えば、メモリはランダムアクセスメモリ（random  access  memory,  RAM）である。メモリは、プロセッサ１００２に結合され、機器により必要とされるコンピュータプログラム１００３１を格納するよう構成される。
【０１８６】
更に、前述の実施形態で提供される伝送制御方法は、（ハードディスクのような）コンピュータ可読記憶媒体１００４を更に提供する。ここで、コンピュータ可読記憶媒体は、機器のコンピュータプログラム１００４１を格納し、コンピュータプログラム１００４１はプロセッサにロードされてよい。
【０１８７】
コンピュータプログラム１００３１又は１００４１が（プロセッサ１００２のような）コンピュータ上で実行すると、コンピュータは前述の方法を実行可能にされてよい。
【０１８８】
例えば、一実施形態では、プロセッサ１００２は、（ＳＭＦのような）前述のセッション管理機能ネットワーク要素の動作又は機能を実行するよう構成される。トランシーバ１００１は、機器と、各アンカーユーザプレーン機能ネットワーク要素又は別のユーザプレーン機能ネットワーク要素又は（ＡＭＦのような）別の制御プレーンネットワーク要素との間の通信を実施するよう構成される。
【０１８９】
別の実施形態では、プロセッサ１００２は、（ソースＩ−ＵＰＦのような）前述の第１ユーザプレーン機能ネットワーク要素の動作又は機能を実行するよう構成される。トランシーバ１００１は、機器と、アンカーユーザプレーン機能ネットワーク要素又は（ＳＭＦのような）セッション管理機能ネットワーク要素との間の通信を実施するよう構成される。
【０１９０】
本願の伝送制御機器を実行するよう構成されるプロセッサは、中央処理ユニット（ＣＰＵ）、汎用プロセッサ、デジタル信号プロセッサ（ＤＳＰ）、特定用途向け集積回路（ＡＳＩＣ）、フィールドプログラマブルゲートアレイ（ＦＰＧＡ）又は別のプログラマブル論理装置、トランジスタ論理装置、ハードウェアコンポーネント、又はそれらの任意の組み合わせであってよい。プロセッサは、本願で提供された内容を参照して説明された種々の例示的な論理ブロック、モジュール、及び回路を実装し又は実行してよい。プロセッサは、コンピューティング機能を実行するプロセッサの組み合わせ、例えば、１つのマイクロプロセッサ又は１つより多くのマイクロプロセッサの組み合わせ、又はＤＰＳとマイクロプロセッサの組み合わせ、であってもよい。
【０１９１】
本願で提供された内容を参照して説明された方法又はアルゴリズムステップは、ハードウェアにより実装されてよく、又はソフトウェア命令を実行することによりプロセッサにより実装されてよい。ソフトウェア命令は、対応するソフトウェアモジュールを含んでよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能ハードディスク、ＣＤ−ＲＯＭ、又は従来知られている任意の多の形式の記憶媒体に格納されてよい。例えば、記憶媒体はプロセッサに結合され、その結果、プロセッサが記憶媒体から情報を読み出し、又は記憶媒体に情報を書き込むことができる。もちろん、記憶媒体は、プロセッサのコンポーネントであってよい。プロセッサ及び記憶媒体は、ＡＳＩＣ内に配置されてよい。更に、ＡＳＩＣは、通信機器内に配置されてよい。もちろん、プロセッサ及び記憶媒体は、個別コンポーネントとして通信機器内に存在してよい。
【０１９２】
前述の実施形態の全部又は一部は、ソフトウェア、ハードウェア、ファームウェア、又はそれらの任意の組み合わせを用いて実装されてよい。実施形態を実装するためにソフトウェアが使用されるとき、実施形態は、コンピュータプログラムプロダクトの形式で完全に又は部分的に実装されてよい。コンピュータプログラムプロダクトは、１つ以上のコンピュータ命令を含む。コンピュータプログラム命令は、コンピュータ上にロードされ実行されると、本発明の実施形態による手順又は機能が完全に又は部分的に生成される。コンピュータは、汎用コンピュータ、専用コンピュータ、コンピュータネットワーク、又は他のプログラマブル機器であってよい。コンピュータ命令は、コンピュータ可読記憶媒体に格納されてよく、又はコンピュータ可読記憶媒体から別のコンピュータ可読記憶媒体へ送信されてよい。例えば、コンピュータ命令は、ウェブサイト、コンピュータ、サーバ、又はデータセンタから、別のウェブサイト、コンピュータ、サーバ、又はデータセンタへ、有線（例えば、同軸ケーブル、光ファイバ、又はデジタル加入者回線（ＤＳＬ））又は有線（例えば、赤外線、無線、又はマイクロ波）方式で送信されてよい。コンピュータ可読記憶媒体は、コンピュータによりアクセス可能な任意の使用可能媒体、又は１つ以上の使用可能媒体を統合するサーバ若しくはデータセンタのようなデータ記憶装置であってよい。使用可能媒体は、磁気媒体（例えば、フロッピーディスク、ハードディスク、又は磁気テープ）、光媒体（例えば、ＤＶＤ）、半導体媒体（例えば、固体ディスク（Solid  State  Disk,  SSD））等であってよい。
【０１９３】
本発明の目的、技術的ソリューション、及び利益は、前述の特定の実施形態において更に詳細に説明された。理解されるべきことに、前述の説明は、単に本発明の特定の実施形態であり、本発明の保護範囲を限定することを意図しない。本発明の技術的ソリューションに基づき行われる任意の変形、均等な置換又は改良は、本発明の保護範囲の中に包含されるべきである。
【図１Ａ】
2021500805.tif 000003
【図１Ｂ】
2021500805.tif 000004
【図２Ａ】
2021500805.tif 000005
【図２Ｂ】
2021500805.tif 000006
【図３Ａ】
2021500805.tif 000007
【図３Ｂ】
2021500805.tif 000008
【図４Ａ】
2021500805.tif 000009
【図４Ｂ】
2021500805.tif 000010
【図５】
2021500805.tif 000011
【図６Ａ】
2021500805.tif 000012
【図６Ｂ】
2021500805.tif 000013
【図７Ａ】
2021500805.tif 000014
【図７Ｂ】
2021500805.tif 000015
【図８】
2021500805.tif 000016
【図９】
2021500805.tif 000017
【図１０】
2021500805.tif 000018
【手続補正書】
【提出日】令和2年4月21日(2020.4.21)
【手続補正１】
【補正対象書類名】特許請求の範囲
【補正対象項目名】全文
【補正方法】変更
【補正の内容】
【特許請求の範囲】
【請求項１】
伝送制御方法であって、
第１ユーザプレーン機能ネットワーク要素を第２ユーザプレーン機能ネットワーク要素に再割り当てする処理において、セッション管理機能ネットワーク要素により、複数のセッション変更要求のうちのそれぞれのセッション変更要求を、複数のアンカーユーザプレーン機能ネットワーク要素のうちの各アンカーユーザプレーン機能ネットワーク要素に送信するステップであって、前記複数のセッション変更要求のうちの各セッション変更要求は、前記第２ユーザプレーン機能ネットワーク要素に関する情報を含む、ステップと、
前記セッション管理機能ネットワーク要素により、前記複数のアンカーユーザプレーン機能ネットワーク要素のうちの第１アンカーユーザプレーン機能ネットワーク要素にのみ、エンドマーカを送信するよう指示するステップと、
を含む方法。
【請求項２】
前記セッション管理機能ネットワーク要素により、前記複数のアンカーユーザプレーン機能ネットワーク要素のうちの第１アンカーユーザプレーン機能ネットワーク要素にのみ、エンドマーカを送信するよう指示する前記ステップは、
前記セッション管理機能ネットワーク要素が、前記それぞれのセッション変更要求を、前記複数のアンカーユーザプレーン機能ネットワーク要素のうちの、前記第１アンカーユーザプレーン機能ネットワーク要素以外の各アンカーユーザプレーン機能ネットワーク要素に送信した後に、前記セッション管理機能ネットワーク要素により、前記第１アンカーユーザプレーン機能ネットワーク要素に、前記エンドマーカを送信するよう指示するステップを含む、請求項１に記載の方法。
【請求項３】
前記第２ユーザプレーン機能ネットワーク要素に関する前記情報は、前記第２ユーザプレーン機能ネットワーク要素に関するトンネル情報を含む、請求項１又は２に記載の方法。
【請求項４】
セッション管理機能ネットワーク要素により、複数のセッション変更要求のうちのそれぞれのセッション変更要求を、複数のアンカーユーザプレーン機能ネットワーク要素のうちの各アンカーユーザプレーン機能ネットワーク要素に送信する前記ステップは、
前記セッション管理機能ネットワーク要素により、それぞれの第１セッション変更要求を、前記複数のアンカーユーザプレーン機能ネットワーク要素のうちの前記第１アンカーユーザプレーン機能ネットワーク要素以外の各アンカーユーザプレーン機能ネットワーク要素に送信するステップと、
前記それぞれの第１セッション変更要求を送信した後に、第２セッション変更要求を、前記第１アンカーユーザプレーン機能ネットワーク要素に送信するステップと、
を含む、請求項１乃至３のいずれか一項に記載の方法。
【請求項５】
前記セッション管理機能ネットワーク要素により、前記複数のアンカーユーザプレーン機能ネットワーク要素のうちの第１アンカーユーザプレーン機能ネットワーク要素にのみ、エンドマーカを送信するよう指示する前記ステップは、
前記セッション管理機能ネットワーク要素により、前記第１アンカーユーザプレーン機能ネットワーク要素に送信される前記セッション変更要求を用いて、前記第１アンカーユーザプレーン機能ネットワーク要素に前記エンドマーカを送信するよう指示するステップを含む、請求項１乃至４のいずれか一項に記載の方法。
【請求項６】
前記セッション管理機能ネットワーク要素により、前記複数のアンカーユーザプレーン機能ネットワーク要素のうちの第１アンカーユーザプレーン機能ネットワーク要素にのみ、エンドマーカを送信するよう指示する前記ステップは、
前記セッション管理機能ネットワーク要素により、前記第１アンカーユーザプレーン機能ネットワーク要素に送信される第１メッセージを用いて、前記第１アンカーユーザプレーン機能ネットワーク要素に前記エンドマーカを送信するよう指示するステップを含む、請求項１乃至４のいずれか一項に記載の方法。
【請求項７】
前記セッション管理機能ネットワーク要素により、前記第１アンカーユーザプレーン機能ネットワーク要素を決定するステップ、
を更に含む請求項１乃至６のいずれか一項に記載の方法。
【請求項８】
前記第１アンカーユーザプレーン機能ネットワーク要素は、リモートユーザプレーン機能ネットワーク要素又はホームユーザプレーン機能ネットワーク要素を含む、請求項１乃至７のいずれか一項に記載の方法。
【請求項９】
伝送制御機器であって、
第１ユーザプレーン機能ネットワーク要素を第２ユーザプレーン機能ネットワーク要素に再割り当てする処理において、複数のセッション変更要求のうちのそれぞれのセッション変更要求を、複数のアンカーユーザプレーン機能ネットワーク要素のうちの各アンカーユーザプレーン機能ネットワーク要素に送信するよう構成される送信モジュールであって、前記複数のセッション変更要求のうちの各セッション変更要求は、前記第２ユーザプレーン機能ネットワーク要素に関する情報を含む、送信モジュールと、
前記送信モジュールを用いて、前記複数のアンカーユーザプレーン機能ネットワーク要素のうちの第１アンカーユーザプレーン機能ネットワーク要素にのみ、エンドマーカを送信するよう指示するよう構成される処理モジュールと、
を含む機器。
【請求項１０】
前記送信モジュールが、前記それぞれのセッション変更要求を、前記複数のアンカーユーザプレーン機能ネットワーク要素のうちの、前記第１アンカーユーザプレーン機能ネットワーク要素以外の各々別のアンカーユーザプレーン機能ネットワーク要素に送信した後に、前記処理モジュールは、前記送信モジュールを用いて、前記第１アンカーユーザプレーン機能ネットワーク要素に、前記エンドマーカを送信するよう指示するよう構成される、請求項９に記載の機器。
【請求項１１】
前記第２ユーザプレーン機能ネットワーク要素に関する前記情報は、前記第２ユーザプレーン機能ネットワーク要素に関するトンネル情報を含む、請求項９又は１０に記載の機器。
【請求項１２】
前記送信モジュールは、先ず、それぞれの第１セッション変更要求を、前記複数のアンカーユーザプレーン機能ネットワーク要素のうちの前記第１アンカーユーザプレーン機能ネットワーク要素以外の各アンカーユーザプレーン機能ネットワーク要素に送信し、次に、第２セッション変更要求を、前記第１アンカーユーザプレーン機能ネットワーク要素に送信するよう構成される、請求項９乃至１１のいずれか一項に記載の機器。
【請求項１３】
前記処理モジュールは、前記第１アンカーユーザプレーン機能ネットワーク要素に送信される前記セッション変更要求を用いて、前記第１アンカーユーザプレーン機能ネットワーク要素に前記エンドマーカを送信するよう指示するよう構成され、又は、
前記処理モジュールは、前記第１アンカーユーザプレーン機能ネットワーク要素に送信される第１メッセージを用いて、前記第１アンカーユーザプレーン機能ネットワーク要素に前記エンドマーカを送信するよう指示するよう構成される、
請求項９乃至１２のいずれか一項に記載の機器。
【請求項１４】
前記処理モジュールは、前記第１アンカーユーザプレーン機能ネットワーク要素を決定するよう更に構成される、
請求項９乃至１３のいずれか一項に記載の機器。
【請求項１５】
コンピュータにより実行されると前記コンピュータに請求項１乃至８のいずれか一項に記載の方法を実行させる命令を含む、コンピュータ可読記憶媒体。
【手続補正２】
【補正対象書類名】明細書
【補正対象項目名】０００７
【補正方法】変更
【補正の内容】
【０００７】
第１の態様によると、本願の一実施形態は、伝送制御方法であって、前記方法は、
第１ユーザプレーン機能ネットワーク要素を第２ユーザプレーン機能ネットワーク要素に再割り当てする処理において、セッション管理機能ネットワーク要素により、複数のセッション変更要求のうちのそれぞれのセッション変更要求を、複数のアンカーユーザプレーン機能ネットワーク要素のうちの各アンカーユーザプレーン機能ネットワーク要素に送信するステップであって、各セッション変更要求は、前記第２ユーザプレーン機能ネットワーク要素に関する情報を含む、ステップと、
前記セッション管理機能ネットワーク要素により、前記複数のアンカーユーザプレーン機能ネットワーク要素のうちの第１アンカーユーザプレーン機能ネットワーク要素にのみ、エンドマーカを送信するよう指示する、又は前記第１アンカーユーザプレーン機能ネットワーク要素にのみ、前記エンドマーカを送信するステップと、を含む方法を提供する。
【手続補正３】
【補正対象書類名】明細書
【補正対象項目名】０００８
【補正方法】変更
【補正の内容】
【０００８】
可能な設計では、セッション管理機能ネットワーク要素により、複数のセッション変更要求のうちのそれぞれのセッション変更要求を、複数のアンカーユーザプレーン機能ネットワーク要素のうちの各アンカーユーザプレーン機能ネットワーク要素に送信する前記ステップは、
先ず、前記セッション管理機能ネットワーク要素により、第１セッション変更要求を、前記複数のアンカーユーザプレーン機能ネットワーク要素のうちの前記第１アンカーユーザプレーン機能ネットワーク要素以外の別のアンカーユーザプレーン機能ネットワーク要素に送信するステップと、
次に、第２セッション変更要求を、前記第１アンカーユーザプレーン機能ネットワーク要素に送信するステップと、
を含む。したがって、セッション管理機能ネットワーク要素は、パスを最後に更新したアンカーユーザプレーン機能ネットワーク要素にのみ、エンドマーカを送信するよう指示する。このように、パスを最後に更新するアンカーユーザプレーン機能ネットワーク要素により送信されるエンドマーカは、旧パスでのパケット伝送が完了したことを示すために使用される。したがって、前述の方法は、旧パスでのデータパケット損失を回避し、ユーザ経験を向上し得る。
【手続補正４】
【補正対象書類名】明細書
【補正対象項目名】００９５
【補正方法】変更
【補正の内容】
【００９５】
ステップ５０１。第１ユーザプレーン機能ネットワーク要素の第２ユーザプレーン機能ネットワーク要素への再割り当て処理において、セッション管理機能ネットワーク要素は、複数のセッション変更要求のうちのそれぞれのセッション変更要求を、複数のアンカーユーザプレーン機能ネットワーク要素のうちの各アンカーユーザプレーン機能ネットワーク要素に送信する。ここで、複数のセッション変更要求のうちの各セッション変更要求は、第２ユーザプレーン機能ネットワーク要素に関する情報を含む。
【手続補正５】
【補正対象書類名】明細書
【補正対象項目名】０１６６
【補正方法】変更
【補正の内容】
【０１６６】
一実施形態では、機器は、図４Ａ又は図４ＢのＳＭＦ、又は図５の（ＳＭＦのような）セッション管理機能ネットワーク要素の動作を実行するよう構成されてよい。例えば、送信モジュール８０２は、第１ユーザプレーン機能ネットワーク要素の第２ユーザプレーン機能ネットワーク要素への再割り当て処理において、複数のセッション変更要求のうちのそれぞれのセッション変更要求を、複数のアンカーユーザプレーン機能ネットワーク要素のうちの各アンカーユーザプレーン機能ネットワーク要素に送信するよう構成される。セッション変更要求は、第２ユーザプレーン機能ネットワーク要素に関する情報を含む。処理モジュール８０１は、送信モジュール８０２を用いて、複数のアンカーユーザプレーン機能ネットワーク要素のうちの第１アンカーユーザプレーン機能ネットワーク要素にのみ、エンドマーカを送信するよう指示するよう構成され、又は、送信モジュール８０２を用いて、エンドマーカを第１アンカーユーザプレーン機能ネットワーク要素にのみ送信するよう構成される。
【手続補正６】
【補正対象書類名】図面
【補正対象項目名】図５
【補正方法】変更
【補正の内容】
【図５】
2021500805.tif 000019
【国際調査報告】
2021500805.tif 000020
2021500805.tif 000021
2021500805.tif 000022
2021500805.tif 000023
2021500805.tif 000024
2021500805.tif 000025